(57)【特許請求の範囲】
【請求項１】
複数のモジュールの電力モードを制御するためのハードウェアモジュールの方法であって、
所望の動作周波数の指示を受信することと、
前記所望の動作周波数の前記受信された指示に基づいて第１の電力モードから第２の電力モードに切り替わることを決定すること、前記第１の電力モードが前記複数のモジュールのうちのモジュールの第１のセットに関連し、前記第２の電力モードが前記複数のモジュールのうちのモジュールの第２のセットに関連し、前記第２の電力モードが前記所望の動作周波数に対応する、と、
前記第１の電力モードに関連しないモジュールの前記第２のセット中のモジュールを有効にすることと、
前記第１の電力モードに関連しないモジュールの前記第２のセット中の前記モジュールを有効にした後、ある時間期間の満了時に前記複数のモジュールを通るトラフィックを停止することと、
モジュールの前記第２のセットを介してトラフィックをルーティングすることと、
前記第２の電力モードに関連しないモジュールの前記第１のセット中のモジュールを無効にすることと、
を備え、
前記複数のモジュールが、較正遅延回路（ＣＤＣ）、入力受信機、低ドロップアウト（ＬＤＯ）調節器、電流電圧変換器、位相ロックループ（ＰＬＬ）、バイアス電流生成器、または基準電圧生成器のうちの少なくとも１つを含む、方法。
【請求項２】
前記モジュールを前記有効にすることが、前記モジュールをオンにすることを備え、前記モジュールを前記無効にすることが、前記モジュールをオフにすることを備える、請求項１に記載の方法。
【請求項３】
前記モジュールを前記有効にすることが、前記モジュールの状態を低電力待機状態から高電力動作状態に変更することを備え、前記モジュールを前記無効にすることが、前記モジュールの状態を高電力動作状態から低電力待機状態に変更することを備える、請求項１に記載の方法。
【請求項４】
前記トラフィックが約１０ｎｓ〜２０ｎｓの間停止される、請求項１に記載の方法。
【請求項５】
モジュールの前記第２のセットが定常状態に達するまで前記時間期間の間待つことをさらに備える、請求項１に記載の方法。
【請求項６】
前記ハードウェアモジュールとモジュールの前記第１および第２のセットとがダブルデータレート（ＤＤＲ）物理（ＰＨＹ）ハードウェアモジュール内にある、請求項１に記載の方法。
【請求項７】
前記複数のモジュールがダブルデータレート（ＤＤＲ）ダイナミックランダムアクセスメモリ（ＤＲＡＭ）に関連する、請求項１に記載の方法。
【請求項８】
前記複数のモジュールが、第１のＣＤＣと、前記第１のＣＤＣと並列な第２のＣＤＣとを備え、モジュールの前記第１のセットが前記第１のＣＤＣを備え、モジュールの前記第２のセットが前記第２のＣＤＣを備え、ここにおいて、前記第１の電力モードに関連しないモジュールの前記第２のセット中で有効にされる前記モジュールが、前記第２のＣＤＣを備え、前記第２の電力モードに関連しないモジュールの前記第１のセット中で無効にされる前記モジュールが、前記第１のＣＤＣを備える、請求項１に記載の方法。
【請求項９】
前記第２のＣＤＣが、前記第１のＣＤＣよりも高い電力モードをサポートする、請求項８に記載の方法。
【請求項１０】
前記第２のＣＤＣが、前記第１のＣＤＣよりも低い電力モードをサポートする、請求項８に記載の方法。
【請求項１１】
前記複数のモジュールが、第１の入力受信機と、前記第１の入力受信機と並列な第２の入力受信機とを備え、モジュールの前記第１のセットが前記第１の入力受信機を備え、モジュールの前記第２のセットが前記第２の入力受信機を備え、ここにおいて、前記第１の電力モードに関連しないモジュールの前記第２のセット中で有効にされる前記モジュールが、前記第２の入力受信機を備え、前記第２の電力モードに関連しないモジュールの前記第１のセット中で無効にされる前記モジュールが、前記第１の入力受信機を備える、請求項１に記載の方法。
【請求項１２】
前記第２の入力受信機が、前記第１の入力受信機よりも高い電力モードをサポートする、請求項１１に記載の方法。
【請求項１３】
前記第２の入力受信機が、前記第１の入力受信機よりも低い電力モードをサポートする、請求項１１に記載の方法。
【請求項１４】
前記第１の電力モードが超低電力モードを備え、前記第２の電力モードが低電力モードを備え、モジュールの前記第１のセットが、低電力ＣＤＣと、低電力入力受信機とを備え、モジュールの前記第２のセットが、前記低電力ＣＤＣと、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記低電力入力受信機を備える、請求項１に記載の方法。
【請求項１５】
前記第１の電力モードが超低電力モードを備え、前記第２の電力モードが中間性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項１６】
前記第１の電力モードが超低電力モードを備え、前記第２の電力モードが高性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項１７】
前記第１の電力モードが低電力モードを備え、前記第２の電力モードが超低電力モードを備え、モジュールの前記第１のセットが、低電力ＣＤＣと、中間電力入力受信機とを備え、モジュールの前記第２のセットが、前記低電力ＣＤＣと、低電力入力受信機とを備え、ここにおいて、前記第１の電力モードに関連しないモジュールの前記第２のセット中で有効にされる前記モジュールが、前記低電力入力受信機を備え、前記第２の電力モードに関連しないモジュールの前記第１のセット中で無効にされる前記モジュールが、前記中間電力入力受信機を備える、請求項１に記載の方法。
【請求項１８】
前記第１の電力モードが低電力モードを備え、前記第２の電力モードが中間性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記バイアス電流生成器と、前記中間電力入力受信機とを備え、ここにおいて、前記第１の電力モードに関連しないモジュールの前記第２のセット中で有効にされる前記モジュールが、前記高電力ＣＤＣと、前記電流電圧変換器と、前記ＰＬＬと、前記バイアス電流生成器とを備え、前記第２の電力モードに関連しないモジュールの前記第１のセット中で無効にされる前記モジュールが、前記低電力ＣＤＣを備える、請求項１に記載の方法。
【請求項１９】
前記第１の電力モードが低電力モードを備え、前記第２の電力モードが高性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項２０】
前記第１の電力モードが中間性能モードを備え、前記第２の電力モードが超低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項２１】
前記第１の電力モードが中間性能モードを備え、前記第２の電力モードが低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、前記中間電力入力受信機とを備え、ここにおいて、前記第１の電力モードに関連しないモジュールの前記第２のセット中で有効にされる前記モジュールが、前記低電力ＣＤＣを備え、前記第２の電力モードに関連しないモジュールの前記第１のセット中で無効にされる前記モジュールが、前記高電力ＣＤＣと、前記電流電圧変換器と、前記ＰＬＬと、前記バイアス電流生成器とを備える、請求項１に記載の方法。
【請求項２２】
前記第１の電力モードが中間性能モードを備え、前記第２の電力モードが高性能モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、前記高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、前記ＬＤＯ調節器と、前記基準電圧生成器と、前記高電力入力受信機とを備え、前記第２の電力モードに関連しないモジュールの前記第１のセット中で無効にされる前記モジュールが、前記中間電力入力受信機を備える、請求項１に記載の方法。
【請求項２３】
前記第１の電力モードが高性能モードを備え、前記第２の電力モードが超低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項２４】
前記第１の電力モードが高性能モードを備え、前記第２の電力モードが低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項２５】
前記第１の電力モードが高性能モードを備え、前記第２の電力モードが中間性能モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、前記高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記ＬＤＯ調節器と、前記基準電圧生成器と、前記高電力入力受信機とを備える、請求項１に記載の方法。
【請求項２６】
前記モジュールが特定のシーケンスで有効にされる、請求項１に記載の方法。
【請求項２７】
複数のモジュールの電力モードを制御するためのハードウェアモジュール装置であって、
較正遅延回路（ＣＤＣ）、入力受信機、低ドロップアウト（ＬＤＯ）調節器、電流電圧変換器、位相ロックループ（ＰＬＬ）、バイアス電流生成器、または基準電圧生成器のうちの少なくとも１つを含む複数のモジュールと、
所望の動作周波数の指示を受信するための手段と、
前記所望の動作周波数の前記受信された指示に基づいて第１の電力モードから第２の電力モードに切り替わることを決定するための手段、前記第１の電力モードが前記複数のモジュールのうちのモジュールの第１のセットに関連し、前記第２の電力モードが前記複数のモジュールのうちのモジュールの第２のセットに関連し、前記第２の電力モードが前記所望の動作周波数に対応する、と、
前記第１の電力モードに関連しないモジュールの前記第２のセット中のモジュールを有効にするための手段と、
前記第１の電力モードに関連しないモジュールの前記第２のセット中の前記モジュールを有効にした後、ある時間期間の満了時に前記複数のモジュールを通るトラフィックを停止するための手段と、
モジュールの前記第２のセットを介してトラフィックをルーティングするための手段と、
前記第２の電力モードに関連しないモジュールの前記第１のセット中のモジュールを無効にするための手段と、
を備える、装置。
【請求項２８】
前記モジュールを有効にするための前記手段が、前記モジュールをオンにするように構成され、前記モジュールを無効にするための前記手段が、前記モジュールをオフにするように構成された、請求項２７に記載の装置。
【請求項２９】
前記モジュールを有効にするための前記手段が、前記モジュールの状態を低電力待機状態から高電力動作状態に変更するように構成され、前記モジュールを無効にするための前記手段が、前記モジュールの状態を高電力動作状態から低電力待機状態に変更するように構成された、請求項２７に記載の装置。
【請求項３０】
前記トラフィックが約１０ｎｓ〜２０ｎｓの間停止される、請求項２７に記載の装置。
【請求項３１】
モジュールの前記第２のセットが定常状態に達するまで前記時間期間の間待つための手段をさらに備える、請求項２７に記載の装置。
【請求項３２】
前記ハードウェアモジュールとモジュールの前記第１および第２のセットとがダブルデータレート（ＤＤＲ）物理（ＰＨＹ）ハードウェアモジュール内にある、請求項２７に記載の装置。
【請求項３３】
前記複数のモジュールがダブルデータレート（ＤＤＲ）ダイナミックランダムアクセスメモリ（ＤＲＡＭ）に関連する、請求項２７に記載の装置。
【請求項３４】
前記複数のモジュールが、第１のＣＤＣと、前記第１のＣＤＣと並列な第２のＣＤＣとを備え、モジュールの前記第１のセットが前記第１のＣＤＣを備え、モジュールの前記第２のセットが前記第２のＣＤＣを備え、ここにおいて、前記第１の電力モードに関連しないモジュールの前記第２のセット中で有効にされる前記モジュールが、前記第２のＣＤＣを備え、前記第２の電力モードに関連しないモジュールの前記第１のセット中で無効にされる前記モジュールが、前記第１のＣＤＣを備える、請求項２７に記載の装置。
【請求項３５】
前記第２のＣＤＣが、前記第１のＣＤＣよりも高い電力モードをサポートする、請求項３４に記載の装置。
【請求項３６】
前記第２のＣＤＣが、前記第１のＣＤＣよりも低い電力モードをサポートする、請求項３４に記載の装置。
【請求項３７】
前記複数のモジュールが、第１の入力受信機と、前記第１の入力受信機と並列な第２の入力受信機とを備え、モジュールの前記第１のセットが前記第１の入力受信機を備え、モジュールの前記第２のセットが前記第２の入力受信機を備え、ここにおいて、前記第１の電力モードに関連しないモジュールの前記第２のセット中で有効にされる前記モジュールが、前記第２の入力受信機を備え、前記第２の電力モードに関連しないモジュールの前記第１のセット中で無効にされる前記モジュールが、前記第１の入力受信機を備える、請求項２７に記載の装置。
【請求項３８】
前記第２の入力受信機が、前記第１の入力受信機よりも高い電力モードをサポートする、請求項３７に記載の装置。
【請求項３９】
前記第２の入力受信機が、前記第１の入力受信機よりも低い電力モードをサポートする、請求項３７に記載の装置。
【請求項４０】
前記第１の電力モードが超低電力モードを備え、前記第２の電力モードが低電力モードを備え、モジュールの前記第１のセットが、低電力ＣＤＣと、低電力入力受信機とを備え、モジュールの前記第２のセットが、前記低電力ＣＤＣと、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記低電力入力受信機を備える、請求項２７に記載の装置。
【請求項４１】
前記第１の電力モードが超低電力モードを備え、前記第２の電力モードが中間性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項４２】
前記第１の電力モードが超低電力モードを備え、前記第２の電力モードが高性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項４３】
前記第１の電力モードが低電力モードを備え、前記第２の電力モードが超低電力モードを備え、モジュールの前記第１のセットが、低電力ＣＤＣと、中間電力入力受信機とを備え、モジュールの前記第２のセットが、前記低電力ＣＤＣと、低電力入力受信機とを備え、ここにおいて、前記第１の電力モードに関連しないモジュールの前記第２のセット中で有効にされる前記モジュールが、前記低電力入力受信機を備え、前記第２の電力モードに関連しないモジュールの前記第１のセット中で無効にされる前記モジュールが、前記中間電力入力受信機を備える、請求項２７に記載の装置。
【請求項４４】
前記第１の電力モードが低電力モードを備え、前記第２の電力モードが中間性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記バイアス電流生成器と、前記中間電力入力受信機とを備え、ここにおいて、前記第１の電力モードに関連しないモジュールの前記第２のセット中で有効にされる前記モジュールが、前記高電力ＣＤＣと、前記電流電圧変換器と、前記ＰＬＬと、前記バイアス電流生成器とを備え、前記第２の電力モードに関連しないモジュールの前記第１のセット中で無効にされる前記モジュールが、前記低電力ＣＤＣを備える、請求項２７に記載の装置。
【請求項４５】
前記第１の電力モードが低電力モードを備え、前記第２の電力モードが高性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項４６】
前記第１の電力モードが中間性能モードを備え、前記第２の電力モードが超低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項４７】
前記第１の電力モードが中間性能モードを備え、前記第２の電力モードが低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、前記中間電力入力受信機とを備え、ここにおいて、前記第１の電力モードに関連しないモジュールの前記第２のセット中で有効にされる前記モジュールが、前記低電力ＣＤＣを備え、前記第２の電力モードに関連しないモジュールの前記第１のセット中で無効にされる前記モジュールが、前記高電力ＣＤＣと、前記電流電圧変換器と、前記ＰＬＬと、前記バイアス電流生成器とを備える、請求項２７に記載の装置。
【請求項４８】
前記第１の電力モードが中間性能モードを備え、前記第２の電力モードが高性能モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、前記高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、前記ＬＤＯ調節器と、前記基準電圧生成器と、前記高電力入力受信機とを備え、前記第２の電力モードに関連しないモジュールの前記第１のセット中で無効にされる前記モジュールが、前記中間電力入力受信機を備える、請求項２７に記載の装置。
【請求項４９】
前記第１の電力モードが高性能モードを備え、前記第２の電力モードが超低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項５０】
前記第１の電力モードが高性能モードを備え、前記第２の電力モードが低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項５１】
前記第１の電力モードが高性能モードを備え、前記第２の電力モードが中間性能モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、前記高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記ＬＤＯ調節器と、前記基準電圧生成器と、前記高電力入力受信機とを備える、請求項２７に記載の装置。
【請求項５２】
前記モジュールが特定のシーケンスで有効にされる、請求項２７に記載の装置。
【請求項５３】
複数のモジュールの電力モードを制御するための集積回路ハードウェアモジュール装置であって、
較正遅延回路（ＣＤＣ）、入力受信機、低ドロップアウト（ＬＤＯ）調節器、電流電圧変換器、位相ロックループ（ＰＬＬ）、バイアス電流生成器、または基準電圧生成器のうちの少なくとも１つを含む複数のモジュールと、
周波数電力マネージャと
を備え、前記周波数電力マネージャが、
所望の動作周波数の指示を受信することと、
前記所望の動作周波数の前記受信された指示に基づいて第１の電力モードから第２の電力モードに切り替わることを決定すること、前記第１の電力モードが前記複数のモジュールのうちのモジュールの第１のセットに関連し、前記第２の電力モードが前記複数のモジュールのうちのモジュールの第２のセットに関連し、前記第２の電力モードが前記所望の動作周波数に対応する、と、
前記第１の電力モードに関連しないモジュールの前記第２のセット中のモジュールを有効にすることと、
前記第１の電力モードに関連しないモジュールの前記第２のセット中の前記モジュールを有効にした後、ある時間期間の満了時に前記複数のモジュールを通るトラフィックを停止することと、
モジュールの前記第２のセットを介してトラフィックをルーティングすることと、
前記第２の電力モードに関連しないモジュールの前記第１のセット中のモジュールを無効にすることと、
を行うように構成された、装置。
【請求項５４】
前記周波数電力マネージャが、前記モジュールをオンにすることによって前記モジュールを有効にし、前記モジュールをオフにすることによって前記モジュールを無効にするように構成された、請求項５３に記載の装置。
【請求項５５】
前記周波数電力マネージャが、前記モジュールの状態を低電力待機状態から高電力動作状態に変更することによって前記モジュールを有効にし、前記モジュールの状態を高電力動作状態から低電力待機状態に変更することによって前記モジュールを無効にするように構成された、請求項５３に記載の装置。
【請求項５６】
前記トラフィックが約１０ｎｓ〜２０ｎｓの間停止される、請求項５３に記載の装置。
【請求項５７】
前記周波数電力マネージャが、モジュールの前記第２のセットが定常状態に達するまで前記時間期間の間待つように構成された、請求項５３に記載の装置。
【請求項５８】
前記ハードウェアモジュールとモジュールの前記第１および第２のセットとがダブルデータレート（ＤＤＲ）物理（ＰＨＹ）ハードウェアモジュール内にある、請求項５３に記載の装置。
【請求項５９】
前記複数のモジュールがダブルデータレート（ＤＤＲ）ダイナミックランダムアクセスメモリ（ＤＲＡＭ）に関連する、請求項５３に記載の装置。
【請求項６０】
前記複数のモジュールが、第１のＣＤＣと、前記第１のＣＤＣと並列な第２のＣＤＣとを備え、モジュールの前記第１のセットが前記第１のＣＤＣを備え、モジュールの前記第２のセットが前記第２のＣＤＣを備え、ここにおいて、前記第１の電力モードに関連しないモジュールの前記第２のセット中で有効にされる前記モジュールが、前記第２のＣＤＣを備え、前記第２の電力モードに関連しないモジュールの前記第１のセット中で無効にされる前記モジュールが、前記第１のＣＤＣを備える、請求項５３に記載の装置。
【請求項６１】
前記第２のＣＤＣが、前記第１のＣＤＣよりも高い電力モードをサポートする、請求項６０に記載の装置。
【請求項６２】
前記第２のＣＤＣが、前記第１のＣＤＣよりも低い電力モードをサポートする、請求項６０に記載の装置。
【請求項６３】
前記複数のモジュールが、第１の入力受信機と、前記第１の入力受信機と並列な第２の入力受信機とを備え、モジュールの前記第１のセットが前記第１の入力受信機を備え、モジュールの前記第２のセットが前記第２の入力受信機を備え、ここにおいて、前記第１の電力モードに関連しないモジュールの前記第２のセット中で有効にされる前記モジュールが、前記第２の入力受信機を備え、前記第２の電力モードに関連しないモジュールの前記第１のセット中で無効にされる前記モジュールが、前記第１の入力受信機を備える、請求項５３に記載の装置。
【請求項６４】
前記第２の入力受信機が、前記第１の入力受信機よりも高い電力モードをサポートする、請求項６３に記載の装置。
【請求項６５】
前記第２の入力受信機が、前記第１の入力受信機よりも低い電力モードをサポートする、請求項６３に記載の装置。
【請求項６６】
前記第１の電力モードが超低電力モードを備え、前記第２の電力モードが低電力モードを備え、モジュールの前記第１のセットが、低電力ＣＤＣと、低電力入力受信機とを備え、モジュールの前記第２のセットが、前記低電力ＣＤＣと、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記低電力入力受信機を備える、請求項５３に記載の装置。
【請求項６７】
前記第１の電力モードが超低電力モードを備え、前記第２の電力モードが中間性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項６８】
前記第１の電力モードが超低電力モードを備え、前記第２の電力モードが高性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項６９】
前記第１の電力モードが低電力モードを備え、前記第２の電力モードが超低電力モードを備え、モジュールの前記第１のセットが、低電力ＣＤＣと、中間電力入力受信機とを備え、モジュールの前記第２のセットが、前記低電力ＣＤＣと、低電力入力受信機とを備え、ここにおいて、前記第１の電力モードに関連しないモジュールの前記第２のセット中で有効にされる前記モジュールが、前記低電力入力受信機を備え、前記第２の電力モードに関連しないモジュールの前記第１のセット中で無効にされる前記モジュールが、前記中間電力入力受信機を備える、請求項５３に記載の装置。
【請求項７０】
前記第１の電力モードが低電力モードを備え、前記第２の電力モードが中間性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記バイアス電流生成器と、前記中間電力入力受信機とを備え、ここにおいて、前記第１の電力モードに関連しないモジュールの前記第２のセット中で有効にされる前記モジュールが、前記高電力ＣＤＣと、前記電流電圧変換器と、前記ＰＬＬと、前記バイアス電流生成器とを備え、前記第２の電力モードに関連しないモジュールの前記第１のセット中で無効にされる前記モジュールが、前記低電力ＣＤＣを備える、請求項５３に記載の装置。
【請求項７１】
前記第１の電力モードが低電力モードを備え、前記第２の電力モードが高性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項７２】
前記第１の電力モードが中間性能モードを備え、前記第２の電力モードが超低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項７３】
前記第１の電力モードが中間性能モードを備え、前記第２の電力モードが低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、前記中間電力入力受信機とを備え、ここにおいて、前記第１の電力モードに関連しないモジュールの前記第２のセット中で有効にされる前記モジュールが、前記低電力ＣＤＣを備え、前記第２の電力モードに関連しないモジュールの前記第１のセット中で無効にされる前記モジュールが、前記高電力ＣＤＣと、前記電流電圧変換器と、前記ＰＬＬと、前記バイアス電流生成器とを備える、請求項５３に記載の装置。
【請求項７４】
前記第１の電力モードが中間性能モードを備え、前記第２の電力モードが高性能モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、前記高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、前記ＬＤＯ調節器と、前記基準電圧生成器と、前記高電力入力受信機とを備え、前記第２の電力モードに関連しないモジュールの前記第１のセット中で無効にされる前記モジュールが、前記中間電力入力受信機を備える、請求項５３に記載の装置。
【請求項７５】
前記第１の電力モードが高性能モードを備え、前記第２の電力モードが超低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項７６】
前記第１の電力モードが高性能モードを備え、前記第２の電力モードが低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項７７】
前記第１の電力モードが高性能モードを備え、前記第２の電力モードが中間性能モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、前記高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記ＬＤＯ調節器と、前記基準電圧生成器と、前記高電力入力受信機とを備える、請求項５３に記載の装置。
【請求項７８】
前記モジュールが特定のシーケンスで有効にされる、請求項５３に記載の装置。
【請求項７９】
前記周波数電力マネージャが１つまたは複数の有限状態機械（ＦＳＭ）を備える、請求項５３に記載の装置。
【発明の詳細な説明】
【技術分野】
【０００１】
関連出願の相互参照
[0001]本出願は、その全体が参照により本明細書に明確に組み込まれる、２０１３年４月２９日に出願された「FREQUENCY POWER MANAGER」と題する米国仮出願第６１／８１７，１３０号、および２０１３年５月２３日に出願された「FREQUENCY POWER MANAGER」と題する米国非仮出願第１３／９０１，５１１号の利益を主張する。
【０００２】
[0002]本開示は周波数電力マネージャに関する。
【背景技術】
【０００３】
[0003]いくつかのハードウェアアプリケーションに関して、様々な電力モードが必要とされる。電力モードは、インターフェース内のモジュール（構成要素）の異なるセットによってサポートされ得、外部モジュールと、外部モジュールをインターフェースするモジュールの異なるセットとが動作するクロック周波数に対応し得る。たとえば、インターフェースは外部モジュールと通信し得、インターフェースは、より高いパフォーマンスで動作する高電力（higher-power）モジュールの第１のセットと、より低いパフォーマンスで動作する低電力（lower-power）モジュールの第２のセットとを含むモジュールの様々なセットを含み得る。インターフェース内のモジュールの第１および第２のセットによって消費される電力を最適化するために、周波数電力マネージャがモジュールの第１および第２のセットの電力利用を管理することが現在必要である。
【発明の概要】
【０００４】
[0004]本開示の一態様では、方法および装置が提供される。本装置は周波数電力マネージャであり得る。本装置は、複数のモジュールの電力モードを制御するハードウェアモジュールである。本装置は所望の動作周波数の指示を受信する。本装置は、所望の動作周波数の受信された指示に基づいて第１の電力モードから第２の電力モードに切り替わることを決定する。第１の電力モードは、複数のモジュールのうちのモジュールの第１のセットに関連する。第２の電力モードは、複数のモジュールのうちのモジュールの第２のセットに関連する。第２の電力モードは所望の動作周波数に対応する。本装置は、第１の電力モードに関連しないモジュールの第２のセット中のモジュールを有効にする。本装置は、第１の電力モードに関連しないモジュールの第２のセット中のモジュールを有効にした後、ある時間期間の満了時に複数のモジュールを通るトラフィックを停止する。本装置は、モジュールの第２のセットを介してトラフィックをルーティングする。本装置は、第２の電力モードに関連しないモジュールの第１のセット中のモジュールを無効にする。
【０００５】
[0005]本装置は、モジュールをオンにすることによってモジュールを有効にし、モジュールをオフにすることによってモジュールを無効にし得る。本装置は、モジュールの状態を低電力待機状態（lower-power standby state）から高電力動作状態（higher-power operational state）に変更することによってモジュールを有効にし得、モジュールの状態を高電力動作状態から低電力待機状態に変更することによってモジュールを無効にし得る。本装置はトラフィックを約１０ｎｓ〜２０ｎｓの間停止し得る。しかしながら、トラフィックが停止される時間の総計はプログラム可能であり得る。複数のモジュールは、ダブルデータレート（ＤＤＲ）物理（ＰＨＹ）インターフェース内にあり得、ＤＤＲダイナミックランダムアクセスメモリ（ＤＲＡＭ）に関連し、それに制御／データを送り、それからデータを受信するために使用され得る。
【図面の簡単な説明】
【０００６】
【図１】[0006]電力モードを制御するための例示的な周波数電力マネージャの使用を示す図。
【図２】[0007]周波数電力マネージャによって制御されるモジュールの例示的なセットを示す図。
【図３】[0008]第１の電力モードで利用され得るモジュールを示す図。
【図４】[0009]第２の電力モードで利用され得るモジュールを示す図。
【図５】[0010]第３の電力モードで利用され得るモジュールを示す図。
【図６】[0011]第４の電力モードで利用され得るモジュールを示す図。
【図７】[0012]複数のモジュールの電力モードを制御するためのハードウェアモジュールの方法のフローチャート。
【図８】[0013]周波数電力マネージャ内の有限状態機械（finite state machine）を示す図。
【図９】[0014]例示的な装置における異なるモジュール／手段／構成要素間のデータフローを示す概念データフロー図。
【発明を実施するための形態】
【０００７】
[0015]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を曖昧にするのを回避するために、よく知られている構造および構成要素をブロック図の形態で示す。
【０００８】
[0016]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課された設計制約に依存する。
【０００９】
[0017]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0018]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、ＣＤ、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せも、コンピュータ可読媒体の範囲内に含まれるべきである。
【００１１】
[0019]図１は、電力モードを制御するための例示的な周波数電力マネージャ１０６の使用を示す図１００である。システムオンチップ（ＳｏＣ）１０２は、（１つまたは複数の）プロセッサ１６０と、メモリコントローラ１７０と、インターフェース１８０とを含む。インターフェース１８０は、周波数電力マネージャ１０６とモジュール構成要素１２８とを含む。モジュール構成要素１２８は複数のモジュール１３０〜１５０を含む。（１つまたは複数の）プロセッサ１６０は、特定の所望の動作周波数に遷移することを決定し、メモリコントローラ１７０に通知する。メモリコントローラ１７０は周波数電力マネージャ１０６に所望の動作周波数を与える。受信された所望の動作周波数に基づいて、周波数電力マネージャ１０６は、モジュール１３０〜１５０を含むモジュール構成要素１２８の電力モードと、インターフェース１８０と（１つまたは複数の）外部モジュール１９０との間の通信の電力モードとを制御する。選択された電力モードは、モジュール１３０〜１５０のうちのいくつかの動作周波数と、インターフェース１８０と（１つまたは複数の）外部モジュール１９０との間の通信とを制御する。モジュール１３０〜１５０は（１つまたは複数の）外部モジュール１９０とインターフェースで接続する。一例では、インターフェースはＰＨＹインターフェース１８０であり得、詳細にはＤＤＲ  ＰＨＹインターフェースであり得、外部モジュール１９０はＤＤＲ  ＤＲＡＭであり得る。しかしながら、例示的な方法および装置は、ＤＤＲ  ＤＲＡＭに関与する適用例に限定されない。したがって、インターフェース１８０は、インターフェース１８０の電力モードと、（１つまたは複数の）外部モジュール１９０との通信とを制御するために、（１つまたは複数の）任意の外部モジュール１９０内でインターフェースするための任意のミックスドシグナル設計（mixed signal design）であり得る。
【００１２】
[0020]メモリコントローラ１７０から所望の動作周波数を受信すると、周波数電力マネージャ１０６は、電力モードを切り替えるべきかどうかを決定する。所望の動作周波数が現在の電力モードで取得可能な場合、周波数電力マネージャ１０６は現在の電力モードを維持する。周波数電力マネージャ１０６が電力モードを切り替えることを決定した場合、周波数電力マネージャ１０６は、前の電力モードに対応する第１の電力モードから後続の電力モードに対応する第２の電力モードにモジュール構成要素１２８を遷移させる。第２の電力モードは、メモリコントローラ１７０から受信された所望の動作周波数を与えるために必須である。たとえば、周波数電力マネージャ１０６が、ｆ＜２００ＭＨｚである動作周波数ｆを受信した場合、周波数電力マネージャ１０６は、所望の動作周波数で動作するための超低電力モードにモジュール構成要素１２８を遷移させ得る。別の例では、周波数電力マネージャ１０６が、２００ＭＨｚ＜ｆ＜２５０ＭＨｚである動作周波数ｆを受信した場合、周波数電力マネージャ１０６は、所望の動作周波数で動作するための低電力モードにモジュール構成要素１２８を遷移させ得る。別の例では、周波数電力マネージャ１０６が、２５０ＭＨｚ＜ｆ＜５３３ＭＨｚである動作周波数ｆを受信した場合、周波数電力マネージャ１０６は、所望の動作周波数で動作するための中間性能モードにモジュール構成要素１２８を遷移させ得る。別の例では、周波数電力マネージャ１０６が、ｆ＞５３３ＭＨｚである動作周波数ｆを受信した場合、周波数電力マネージャ１０６は、所望の動作周波数で動作するための高性能モードにモジュール構成要素１２８を遷移させ得る。上述の周波数および周波数範囲はプログラム可能であり得る。
【００１３】
[0021]第１の電力モード（または前の電力モード）は、モジュール構成要素１２８のモジュールの第１のセットに関連し得、第２の電力モード（または後続の電力モード）は、モジュールの第１のセットとは異なる、モジュール構成要素１２８のモジュールの第２のセットに関連し得る。たとえば、第１の電力モードはモジュールのセット１０８、１１０、１１２、または１１４のうちのいずれかの１つのセットに関連し得、第２の電力モードはモジュールのセット１０８、１１０、１１２、または１１４のうちのいずれかの他のセットに関連し得る。モジュールのセット１０８、１１０、１１２、および１１４の各々は異なるが、同じモジュールのうちのいくつかを含み得る。たとえば、モジュールのセット１０８はモジュール１３０、１３２、１３４、１３６、１４０、１４２、および１４４を含み得、モジュールのセット１１０はモジュール１３４、１３６、１４２、１４４、および１４６を含み得、モジュールのセット１１２はモジュール１４６および１４８を含み得、モジュールのセット１１４はモジュール１３８および１４８を含み得る。たとえば、（１つまたは複数の）モジュール１５０など、いくつかのモジュールはすべての電力モードに関連し得る。
【００１４】
[0022]周波数電力マネージャ１０６は複数の有限状態機械（ＦＳＭ）と他の回路とを含む。周波数電力マネージャ１０６は、したがって、ハードウェア駆動型動的電圧／周波数切替えを通してモジュール構成要素１２８によって消費される電力を最適化するためと、第１の電力モードから第２の電力モードへの高速および効率的な遷移を行うためとのハードウェア構成要素のみを含み得る。一例では、ＦＳＭのハードウェア構成要素は、２８ｎｍプロセス技術を使用して生成される。２０ｎｍ、１６ｎｍフィン電界効果トランジスタ（ＦｉｎＦＥＴ：fin field effect transistor）、または他のプロセス技術など、他のプロセス技術が使用され得る。周波数電力マネージャ１０６は、第１の電力モードに関連しないモジュールの第２のセット中のモジュールを有効にする（たとえば、オンにするか、または低電力待機状態から高電力動作状態に変更する）。たとえば、第１の電力モードがモジュールのセット１０８に関連し、第２の電力モードがモジュールのセット１１０に関連する場合、周波数電力マネージャ１０６はモジュール１４６を有効にする。モジュール１４６は、第１の電力モードに関連しないモジュールのセット１１０中の唯一のモジュールであり、それは、モジュールのセット１０８に関連する。周波数電力マネージャ１０６は、モジュール１４６を有効にした後、モジュール１４６が定常状態に達するまである時間期間（または始動時間期間）待つ。たとえば、周波数電力マネージャ１０６は、モジュール１４６を有効にした後、モジュール１４６が特定のおよび予想される出力を与えるまで待ち得る。一構成では、時間期間は、モジュール１４６が特定のまたは予想される出力を与えるための知られているまたはテストされた時間に基づいて、あらかじめ決定され得る。別の構成では、時間期間はプログラム可能であり得る。別の構成では、時間期間は、モジュール１４６から「レディ（ready）」信号を受信することに基づき得る。したがって、周波数電力マネージャ１０６は、モジュール１４６が定常状態に達するまである時間期間待ち得、時間期間は、あらかじめ決定され、プログラム可能であり、および／または、「レディ」信号がいつモジュール１４６から受信されたかに基づき得る。時間期間の時間の長さは、周波数電力マネージャ１０６が有効にする特定のモジュールと、特定のモジュールを有効にする順序とに依存し得る。モジュール１４６を有効にした後の時間期間の満了時に、周波数電力マネージャ１０６は、モジュール１３０〜１５０を通るトラフィックを一時的に停止する。モジュール１３０〜１５０を通るトラフィックのフローを停止することにより、ＳｏＣ１０２と（１つまたは複数の）外部モジュール１９０との間のトラフィックのフローを停止する。周波数電力マネージャ１０６のＦＳＭ内で利用される２８ｎｍプロセス技術を用いて、トラフィックは約１０〜２０ｎｓの間停止される。しかしながら、トラフィックが停止される時間の量はプログラム可能であり得る。周波数電力マネージャ１０６は、次いで、モジュールのセット１１０を介してトラフィックをルーティングする。トラフィックがモジュールのセット１１０を介してルーティングされた後、周波数電力マネージャ１０６は���第２の電力モードに関連しないモジュールのセット１０８中のモジュールを無効にする（たとえば、オフにするか、または高電力動作状態から低電力待機状態に変更する）。詳細には、周波数電力マネージャ１０６はモジュール１３０、１３２、および１４０を無効にする。
【００１５】
[0023]図２は、周波数電力マネージャ１０６によって制御されるモジュールの例示的なセットを示す図２００である。モジュール構成要素１２８はモジュール２０２〜２２６を含み得る。図２に示されているように、マルチプレクサ２０２は、高電力（ＨＰ）入力受信機２０６とマルチプレクサ２０４とから入力を受信する。マルチプレクサ２０２は、選択信号に基づいて出力するために入力のうちの１つを選択する。マルチプレクサ２０４は、中間電力（ＭＰ）入力受信機２０８と低電力（ＬＰ）入力受信機２１０とから入力を受信する。ＨＰ入力受信機２０６と、ＭＰ入力受信機２０８と、ＬＰ入力受信機２１０とは並列に接続され得る。マルチプレクサ２０４は、選択信号に基づいて出力するために入力のうちの１つを選択する。ＨＰ入力受信機２０６は、基準電圧生成器２１２からの基準電圧と、バイアス電流生成器２１４からのバイアス電流とを受ける。バイアス電流生成器２１４は、位相ロックループ（ＰＬＬ：phase lock loop）２１６にもバイアス電流を与える。ＰＬＬ２１６は電流電圧変換器２１８に電流を出力する。電流電圧変換器２１８は、受けた電流を電圧に変換し、電圧をＨＰ較正遅延回路（ＣＤＣ：calibrated delay circuit）２２０に与える。ＰＬＬ２１６、電流電圧変換器２１８、およびＨＰ  ＣＤＣ２２０は、低ドロップアウト（ＬＤＯ：low-dropout）調節器２２４から電源電圧を受ける。ＬＤＯ調節器２２４は、１つまたは複数の電源電圧Ｖｄｄ1、Ｖｄｄ2（たとえば、Ｖｄｄ1＝１．０５Ｖ、Ｖｄｄ2＝１．８Ｖ）を供給され得る。マルチプレクサ２２６は、１つまたは複数のマルチプレクサを含み得、ＨＰ  ＣＤＣ２２０とＬＰ  ＣＤＣ２２２とから入力を受ける。ＨＰ  ＣＤＣ２２０とＬＰ  ＣＤＣ２２２とは並列に接続され得る。マルチプレクサ２２６は、選択信号に基づいて出力するために入力のうちの１つを選択する。マルチプレクサ２２６の出力は遅延したクロック信号であり得る。たとえば、遅延したクロック信号は、サイクルの１／４だけ遅延され得、データを（１つまたは複数の）外部モジュール１９０に送信するために使用され、ならびに／あるいは（１つまたは複数の）外部モジュール１９０からデータを受信する際に入力受信機２０６、２０８、２１０によって使用され得る。
【００１６】
[0024]モジュール２０２〜２２６の各々は１つまたは複数の電力モードに関連し得る。たとえば、マルチプレクサ２０２、２０４、２２６はすべての電力モードに関連し得る。マルチプレクサ２０２、２０４、２２６は（１つまたは複数の）モジュール１５０に対応し得る。別の例では、ＬＰ  ＣＤＣ２２２およびＬＰ入力受信機２１０は第１の電力モード（たとえば、超低電力モード）に関連し得、ＬＰ  ＣＤＣ２２２およびＭＰ入力受信機２０８は第２の電力モード（たとえば、低電力モード）に関連し得、ＭＰ入力受信機２０８、バイアス電流生成器２１４、ＰＬＬ２１６、電流電圧変換器２１８、およびＨＰ  ＣＤＣ２２０は第３の電力モード（たとえば、中間性能モード）に関連し得、ＨＰ入力受信機２０６、基準電圧生成器２１４、バイアス電流生成器２１４、ＰＬＬ２１６、電流電圧変換器２１８、ＬＤＯ調節器２２４、およびＨＰ  ＣＤＣ２２０は第４の電力モード（たとえば、高性能モード）に関連し得る。第１、第２、第３、および第４の電力モードに対応するモジュールのうちのいくつかは、電力モードに基づいて異なるクロック周波数で動作し得る。たとえば、第１の電力モードで有効にされたいくつかのモジュールは周波数ｆ1で動作し得、第２の電力モードで有効にされたいくつかのモジュールは周波数ｆ2で動作し得、第３の電力モードで有効にされたいくつかのモジュールは周波数ｆ3で動作し得、第４の電力モードで有効にされたいくつかのモジュールは周波数ｆ4で動作し得る。一例では、ｆ1＜２００ＭＨｚであり、２００ＭＨｚ＜ｆ2＜２５０ＭＨｚであり、２５０ＭＨｚ＜ｆ3＜５３３ＭＨｚであり、ｆ4＞５３３ＭＨｚである。上述の周波数および周波数範囲はプログラム可能であり得る。
【００１７】
[0025]図１および図２を参照すると、モジュール２０２〜２２６が第１の電力モード（たとえば、超低電力モード）で構成されたとき、モジュール２０２〜２２６のうちのいくつかはｆ1の動作周波数を有し得、モジュール２０２〜２２６を含むＰＨＹインターフェース１８０は、ｆ1の動作周波数で外部モジュール（たとえば、（１つまたは複数の）外部モジュール１９０、ＤＤＲ  ＤＲＡＭ）と通信し得る。モジュール２０２〜２２６が第２の電力モード（たとえば、低電力モード）で構成されたとき、モジュール２０２〜２２６のうちのいくつかはｆ2の動作周波数を有し得、モジュール２０２〜２２６を含むＰＨＹインターフェース１８０は、ｆ2の動作周波数で外部モジュール（たとえば、（１つまたは複数の）外部モジュール１９０、ＤＤＲ  ＤＲＡＭ）と通信し得る。モジュール２０２〜２２６が第３の電力モード（たとえば、中間性能モード）で構成されたとき、モジュール２０２〜２２６のうちのいくつかはｆ3の動作周波数を有し得、モジュール２０２〜２２６を含むＰＨＹインターフェース１８０は、ｆ3の動作周波数で外部モジュール（たとえば、（１つまたは複数の）外部モジュール１９０、ＤＤＲ  ＤＲＡＭ）と通信し得る。モジュール２０２〜２２６が第４の電力モード（たとえば、高性能モード）で構成されたとき、モジュール２０２〜２２６のうちのいくつかはｆ4の動作周波数を有し得、モジュール２０２〜２２６を含むＰＨＹインターフェース１８０は、ｆ4の動作周波数で外部モジュール（たとえば、（１つまたは複数の）外部モジュール１９０、ＤＤＲ ＤＲＡＭ）と通信し得る。
【００１８】
[0026]図３は、第１の電力モードで利用され得るモジュールを示す図３００である。前のモードから第１の電力モードに遷移するとき、周波数電力マネージャ１０６は、前のモードで無効にされた、ＬＰ  ＣＤＣ２２２とＬＰ入力受信機２１０とを含む影つきモジュールのうちの任意のものを有効にする。ＬＰ  ＣＤＣ２２２とＬＰ入力受信機２１０とを含む影つきモジュールのうちのいずれかが、前のモードですでに有効にされた場合、周波数電力マネージャ１０６は有効状態を維持する。周波数電力マネージャ１０６はまた、マルチプレクサ２０２、２０４、２２６が第１の電力モードのための正しい信号を出力するように、マルチプレクサ２０２、２０４、２２６に適切な選択信号を与え得る。その後、周波数電力マネージャ１０６は、ＳＯＣ１０２と外部モジュール１９０との間の通信が、たとえば、１０〜２０ｎｓなど、（プログラム可能であり得る）短い時間期間の間中断されるようにモジュール２０２〜２２６を構成し得る。その後、周波数電力マンガー１０６は、ＬＰ  ＣＤＣ２２２とＬＰ入力受信機２１０とを使用してＳＯＣ１０２と外部モジュール１９０との間の通信を再開するようにモジュール２０２〜２２６を構成し得る。周波数電力マネージャ１０６は、次いで、第１の電力モードに関連しないモジュールを無効にし得る。
【００１９】
[0027]図４は、第２の電力モードで利用され得るモジュールを示す図４００である。前のモードから第２の電力モードに遷移するとき、周波数電力マネージャ１０６は、前のモードで無効にされた、ＬＰ  ＣＤＣ２２２とＭＰ入力受信機２０８とを含む影つきモジュールのうちの任意のものを有効にする。ＬＰ  ＣＤＣ２２２とＭＰ入力受信機２０８とを含む影つきモジュールのうちのいずれかが、前のモードですでに有効にされた場合、周波数電力マネージャ１０６は有効状態を維持する。周波数電力マネージャ１０６はまた、マルチプレクサ２０２、２０４、２２６が第２の電力モードのための正しい信号を出力するように、マルチプレクサ２０２、２０４、２２６に適切な選択信号を与え得る。その後、周波数電力マネージャ１０６は、ＳＯＣ１０２と外部モジュール１９０との間の通信が、たとえば、１０〜２０ｎｓなど、（プログラム可能であり得る）短い時間期間の間中断されるようにモジュール２０２〜２２６を構成し得る。その後、周波数電力マンガー１０６は、ＬＰ  ＣＤＣ２２２とＭＰ入力受信機２０８とを使用してＳＯＣ１０２と外部モジュール１９０との間の通信を再開するようにモジュール２０２〜２２６を構成し得る。周波数電力マネージャ１０６は、次いで、第２の電力モードに関連しないモジュールを無効にし得る。
【００２０】
[0028]図５は、第３の電力モードで利用され得るモジュールを示す図５００である。前のモードから第３の電力モードに遷移するとき、周波数電力マネージャ１０６は、前のモードで無効にされた、バイアス電流生成器２１４と、ＰＬＬ２１６と、電流電圧変換器２１８と、ＨＰ  ＣＤＣ２２０と、ＭＰ入力受信機２０８とを含む影つきモジュールのうちの任意のものを有効にする。バイアス電流生成器２１４と、ＰＬＬ２１６と、電流電圧変換器２１８と、ＨＰ  ＣＤＣ２２０と、ＭＰ入力受信機２０８とを含む影つきモジュールのうちのいずれかが、前のモードですでに有効にされた場合、周波数電力マネージャ１０６は有効状態を維持する。周波数電力マネージャ１０６はまた、マルチプレクサ２０２、２０４、２２６が第３の電力モードのための正しい信号を出力するように、マルチプレクサ２０２、２０４、２２６に適切な選択信号を与え得る。その後、周波数電力マネージャ１０６は、ＳＯＣ１０２と外部モジュール１９０との間の通信が、たとえば、１０〜２０ｎｓなど、（プログラム可能であり得る）短い時間期間の間中断されるようにモジュール２０２〜２２６を構成し得る。その後、周波数電力マンガー１０６は、バイアス電流生成器２１４と、ＰＬＬ２１６と、電流電圧変換器２１８と、ＨＰ  ＣＤＣ２２０と、ＭＰ入力受信機２０８とを使用してＳＯＣ１０２と外部モジュール１９０との間の通信を再開するようにモジュール２０２〜２２６を構成し得る。周波数電力マネージャ１０６は、次いで、第３の電力モードに関連しないモジュールを無効にし得る。
【００２１】
[0029]図６は、第４の電力モードで利用され得るモジュールを示す図６００である。前のモードから第４電力モードに遷移するとき、周波数電力マネージャ１０６は、前のモードで無効にされた、バイアス電流生成器２１４と、ＰＬＬ２１６と、電流電圧変換器２１８と、ＨＰ  ＣＤＣ２２０と、ＬＤＯ調節器２２４と、基準電圧生成器２１２と、ＨＰ入力受信機２０６とを含む影つきモジュールのうちの任意のものを有効にする。バイアス電流生成器２１４と、ＰＬＬ２１６と、電流電圧変換器２１８と、ＨＰ  ＣＤＣ２２０と、ＬＤＯ調節器２２４と、基準電圧生成器２１２と、ＨＰ入力受信機２０６とを含む影つきモジュールのうちのいずれかが、前のモードですでに有効にされた場合、周波数電力マネージャ１０６は有効状態を維持する。周波数電力マネージャ１０６はまた、マルチプレクサ２０２、２０４、２２６が第４の電力モードのための正しい信号を出力するように、マルチプレクサ２０２、２０４、２２６に適切な選択信号を与え得る。その後、周波数電力マネージャ１０６は、ＳＯＣ１０２と外部モジュール１９０との間の通信が、たとえば、１０〜２０ｎｓなど、（プログラム可能であり得る）短い時間期間の間中断されるようにモジュール２０２〜２２６を構成し得る。その後、周波数電力マネージャ１０６は、バイアス電流生成器２１４と、ＰＬＬ２１６と、電流電圧変換器２１８と、ＨＰ  ＣＤＣ２２０と、ＬＤＯ調節器２２４と、基準電圧生成器２１２と、ＨＰ入力受信機２０６とを使用してＳＯＣ１０２と外部モジュール１９０との間の通信を再開するようにモジュール２０２〜２２６を構成し得る。周波数電力マネージャ１０６は、次いで、第４の電力モードに関連しないモジュールを無効にし得る。
【００２２】
[0030]図７は、複数のモジュールの電力モードを制御するためのハードウェアモジュールの方法のフローチャート７００である。ハードウェアモジュールは周波数電力マネージャ（たとえば、図１の周波数電力マネージャ１０６）であり得る。周波数電力マネージャは、ハードウェア駆動型動的電圧／周波数切替えを通して複数のモジュールによって消費される電力を最適化するためと、第１の電力モードから第２の電力モードへの高速および効率的な遷移を行うためとの複数のＦＳＭを含み得る。ＦＳＭは、２８ｎｍ、２０ｎｍ、１６ｎｍ  ＦｉｎＦＥＴ、または他のプロセス技術に基づいて構成され得る。ステップ７０２において、周波数電力マネージャは所望の動作周波数の指示を受信する。所望の動作周波数が第１の電力モード（または電流電力モード）によってサポートされる周波数範囲内にある場合、周波数電力マネージャは第１の電力モードを維持する。しかしながら、所望の動作周波数範囲が、第１の電力モードによってサポートされないが第２の電力モードによってサポートされる周波数範囲内にある場合、周波数電力マネージャは第１の電力モードから第２の電力モードに切り替わることを決定する。ステップ７０４において、所望の動作周波数の受信された指示に基づいて、周波数電力マネージャは第１の電力モードから第２の電力モードに切り替わることを決定する。第２の電力モードは所望の動作周波数に対応する。第１の電力モードは、複数のモジュールのうちのモジュールの第１のセットに関連し、第２の電力モードは、複数のモジュールのうちのモジュールの第２のセットに関連する。一構成では、ハードウェアモジュールとモジュールの第１および第２のセットとはＤＤＲ  ＰＨＹハードウェアモジュール（たとえば、図１のＤＤＲ  ＰＨＹハードウェアモジュール１８０）内にある。ステップ７０６において、周波数電力マネージャは、複数のモジュールを第１の電力モードから第２の電力モードに遷移させ始め、第１の電力モードに関連しないモジュールの第２のセット中のモジュールを有効にする。周波数電力マネージャは、モジュールをオンにすることによって、および／またはモジュールの電力状態を低電力待機状態から高電力動作状態に変更することによって、モジュールを有効にし得る。周波数電力マネージャはモジュールを特定の順序またはシーケンスで有効にし得る。たとえば、図２を参照すると、周波数電力マネージャは、ＬＤＯ調節器２２４またはＨＰ入力受信機２０６を有効にする前に、バイアス電流生成器２１４を有効にし得、ＨＰ  ＣＤＣ２２０を有効にする前に、バイアス電流生成器２１４とＬＤＯ調節器２２４とを有効にし得る。周波数電力マネージャは、各モジュールが動作の準備ができるのに要する時間の長さ（たとえば、各モジュールが定常状態になるために必要とする時間の量）に基づいて、モジュールを異なる時間に有効にする。周波数電力マネージャは、モジュールのすべてが最小の時間量で動作の準備ができるように、モジュールを異なる時間に、特定の順序で有効にする。ステップ７０８において、周波数電力マネージャは、モジュールの第２のセットが定常状態に達するまである時間期間（または始動時間期間）の間待つ。ステップ７１０におい���、周波数電力マネージャは、第１の電力モードに関連しないモジュールの第２のセット中のモジュールを有効にした後、時間期間の満了時に複数のモジュールを通るトラフィックを停止する。周波数電力マネージャはまた、複数のモジュールと、複数のモジュールがそれと通信している（１つまたは複数の）外部モジュールとの間のトラフィックを停止する。周波数電力マネージャは、周波数電力マネージャが２８ｎｍプロセス技術を利用すると仮定すると、約１０〜２０ｎｓの間トラフィックを停止し得る。しかしながら、上記で説明したように、他のプロセス技術が使用され得る。ステップ７１２において、周波数電力マネージャは、モジュールの第２のセットを介してトラフィックをルーティングする。ステップ７１４において、周波数電力マネージャは、第２の電力モードに関連しないモジュールの第１のセット中のモジュールを無効にする。周波数電力マネージャは、モジュールをオフにすることによって、および／またはモジュールの電力状態を高電力動作状態から低電力待機状態に変更することによって、モジュールを無効にし得る。
【００２３】
[0031]一構成では、複数のモジュールは、第１のＣＤＣと、第１のＣＤＣと並列な第２のＣＤＣとを含む。モジュールの第１のセットは第１のＣＤＣを含み、モジュールの第２のセットは第２のＣＤＣを含む。第１の電力モードに関連しないモジュールの第２のセット中で有効にされるモジュールは第２のＣＤＣを含み、第２の電力モードに関連しないモジュールの第１のセット中で無効にされるモジュールは第１のＣＤＣを含む。第２のＣＤＣは、第１のＣＤＣよりも高い電力モード、または第１のＣＤＣよりも低い電力モードをサポートし得る。たとえば、図２を参照すると、モジュール２０２〜２２６はＨＰ  ＣＤＣ２２０とＬＰ  ＣＤＣ２２２とを含む。前の電力モードがＨＰ  ＣＤＣ２２０を利用し、後続の電力モードがＬＰ  ＣＤＣ２２２を利用する場合、ＬＰ  ＣＤＣ２２２が有効にされる。トラフィックがＬＰ  ＣＤＣ２２２を介してルーティングされた後に、ＨＰ  ＣＤＣ２２０が無効にされる。
【００２４】
[0032]一構成では、複数のモジュールは、第１の入力受信機と、第１の入力受信機と並列な第２の入力受信機とを含む。モジュールの第１のセットは第１の入力受信機を含み、モジュールの第２のセットは第２の入力受信機を含む。第１の電力モードに関連しないモジュールの第２のセット中で有効にされるモジュールは、第２の入力受信機を含み、第２の電力モードに関連しないモジュールの第１のセット中で無効にされるモジュールは、第１の入力受信機を含む。第２の入力受信機は、第１の入力受信機よりも高い電力モード、または第１の入力受信機よりも低い電力モードをサポートし得る。たとえば、図２を参照すると、モジュール２０２〜２２６はＭＰ入力受信機２０８とＬＰ入力受信機２１０とを含む。前の電力モードがＭＰ入力受信機２０８を利用し、後続の電力モードがＬＰ入力受信機２１０を利用する場合、ＬＰ入力受信機２１０が有効にされる。トラフィックがＬＰ入力受信機２１０を介してルーティングされた後に、ＭＰ入力受信機２０８が無効にされる。
【００２５】
[0033]複数のモジュールがＤＤＲ  ＤＲＡＭとインターフェースする（すなわち、（１つまたは複数の）外部モジュール１９０がＤＤＲ  ＤＲＡＭである）とき、複数のモジュールは、複数のＣＤＣ、複数の入力受信機、ＬＤＯ調節器、電流電圧変換器、ＰＬＬ、バイアス電流生成器、または基準電圧生成器のうちの少なくとも１つを含み得る。上記で説明したように、周波数電力マネージャは、第１の電力モードから第２の電力モードへの遷移を管理し得る。第１の電力モードはＮ個の電力モードのうちのいずれかの１つのモードであり得、第２の電力モードはＮ個の電力モードのうちのいずれかの他のモードであり得る。概して、Ｎ≧２である。図２〜図６に関して与えられる例では、Ｎ＝４である。以下の例の場合、Ｎ＝４であり、電力モードが超低電力モードと、低電力モードと、中間性能モードと、高性能モードとを含むと仮定する。
【００２６】
[0034]一例では、周波数電力マネージャは超低電力モードから低電力モードに遷移する。したがって、第１の電力モードは超低電力モードであり、第２の電力モードは低電力モードである。図３、図４を参照すると、モジュールの第１のセットは、複数のＣＤＣ２２０、２２２のうちの低電力ＣＤＣ２２２と、複数の入力受信機２０６、２０８、２１０のうちの低電力入力受信機２１０とを含み得る。モジュールの第２のセットは、低電力ＣＤＣ２２２と、複数の入力受信機２０６、２０８、２１０うちの中間電力入力受信機２０８とを含み得る。周波数電力マネージャが第１の電力モードに関連しないモジュールの第２のセット中で有効にする（ステップ７０６）モジュールは、中間電力入力受信機２０８を含む。低電力ＣＤＣ２２２は第１の電力モードですでに有効にされたので、周波数電力マネージャは低電力ＣＤＣ２２２を有効にすることを控える。周波数電力マネージャが第２の電力モードに関連しないモジュールの第１のセット中で無効にする（ステップ７１４）モジュールは、低電力入力受信機２１０を含む。低電力ＣＤＣ２２２は第２の電力モードのために利用されるので、周波数電力マネージャは低電力ＣＤＣ２２２を無効にすることを控える。
【００２７】
[0035]一例では、周波数電力マネージャは超低電力モードから中間性能モードに遷移する。したがって、第１の電力モードは超低電力モードであり、第２の電力モードは中間性能モードである。図３、図５を参照すると、モジュールの第１のセットは、複数のＣＤＣ２２０、２２２のうちの低電力ＣＤＣ２２２と、複数の入力受信機２０６、２０８、２１０のうちの低電力入力受信機２１０とを含み得る。モジュールの第２のセットは、複数のＣＤＣ２２０、２２２のうちの高電力ＣＤＣ２２０と、電流電圧変換器２１８と、ＰＬＬ２１６と、バイアス電流生成器２１４と、複数の入力受信機２０６、２０８、２１０のうちの中間電力入力受信機２０８とを含み得る。周波数電力マネージャが第１の電力モードに関連しないモジュールの第２のセット中で有効にする（ステップ７０６）モジュールは、モジュール２２０、２１８、２１６、２１４、２０８の第２のセットのすべてを含み、周波数電力マネージャが第２の電力モードに関連しないモジュールの第１のセット中で無効にする（ステップ７１４）モジュールは、モジュール２２２、２１０の第１のセットのすべてを含む。
【００２８】
[0036]一例では、周波数電力マネージャは超低電力モードから高性能モードに遷移する。したがって、第１の電力モードは超低電力モードであり、第２の電力モードは高性能モードである。図３、図６を参照すると、モジュールの第１のセットは、複数のＣＤＣ２２０、２２２のうちの低電力ＣＤＣ２２２と、複数の入力受信機２０６、２０８、２１０のうちの低電力入力受信機２１０とを含み得る。モジュールの第２のセットは、複数のＣＤＣ２２０、２２２のうちの高電力ＣＤＣ２２０と、電流電圧変換器２１８と、ＰＬＬ２１６と、ＬＤＯ調節器２２４と、バイアス電流生成器２１４と、基準電圧生成器２１２と、複数の入力受信機２０６、２０８、２１０のうちの高電力入力受信機２０６とを含み得る。周波数電力マネージャが第１の電力モードに関連しないモジュールの第２のセット中で有効にする（ステップ７０６）モジュールは、モジュール２２０、２１８、２１６、２２４、２１４、２１２、２０６の第２のセットのすべてを含み、周波数電力マネージャが第２の電力モードに関連しないモジュールの第１のセット中で無効にする（ステップ７１４）モジュールは、モジュール２２２、２１０の第１のセットのすべてを含む。
【００２９】
[0037]一例では、周波数電力マネージャは低電力モードから超低電力モードに遷移する。したがって、第１の電力モードは低電力モードであり、第２の電力モードは超低電力モードである。図３、図４を参照すると、モジュールの第１のセットは、複数のＣＤＣ２２０、２２２のうちの低電力ＣＤＣ２２２と、複数の入力受信機２０６、２０８、２１０のうちの中間電力入力受信機２０８とを含み得る。モジュールの第２のセットは、低電力ＣＤＣ２２２と、複数の入力受信機２０６、２０８、２１０のうちの低電力入力受信機２１０とを含み得る。周波数電力マネージャが第１の電力モードに関連しないモジュールの第２のセット中で有効にする（ステップ７０６）モジュールは、低電力入力受信機２１０を含む。低電力ＣＤＣ２２２は第１の電力モードですでに有効にされたので、周波数電力マネージャは低電力ＣＤＣ２２２を有効にすることを控える。周波数電力マネージャが第２の電力モードに関連しないモジュールの第１のセット中で無効にする（ステップ７１４）モジュールは、中間電力入力受信機２０８を含む。低電力ＣＤＣ２２２は第２の電力モードのために利用されるので、周波数電力マネージャは低電力ＣＤＣ２２２を無効にすることを控える。
【００３０】
[0038]一例では、周波数電力マネージャは低電力モードから中間性能モードに遷移する。したがって、第１の電力モードは低電力モードであり、第２の電力モードは中間性能モードである。図４、図５を参照すると、モジュールの第１のセットは、複数のＣＤＣ２２０、２２２のうちの低電力ＣＤＣ２２２と、複数の入力受信機２０６、２０８、２１０のうちの中間電力入力受信機２０８とを含み得る。モジュールの第２のセットは、複数のＣＤＣ２２０、２２２のうちの高電力ＣＤＣ２２０と、電流電圧変換器２１８と、ＰＬＬ２１６と、バイアス電流生成器２１４と、中間電力入力受信機２０８とを含み得る。周波数電力マネージャが第１の電力モードに関連しないモジュールの第２のセット中で有効にする（ステップ７０６）モジュールは、高電力ＣＤＣ２２０と、電流電圧変換器２１８と、ＰＬＬ２１６と、バイアス電流生成器２１４とを含む。中間電力入力受信機２０８は第１の電力モードですでに有効にされたので、周波数電力マネージャは中間電力入力受信機２０８を有効にすることを控える。周波数電力マネージャが第２の電力モードに関連しないモジュールの第１のセット中で無効にする（ステップ７１４）モジュールは、低電力ＣＤＣ２２２を含む。中間電力入力受信機２０８は第２の電力モードのために利用されるので、周波数電力マネージャは中間電力入力受信機２０８を無効にすることを控える。
【００３１】
[0039]一例では、周波数電力マネージャは低電力モードから高性能モードに遷移する。したがって、第１の電力モードは低電力モードであり、第２の電力モードは高性能モードである。図４、図６を参照すると、モジュールの第１のセットは、複数のＣＤＣ２２０、２２２のうちの低電力ＣＤＣ２２２と、複数の入力受信機２０６、２０８、２１０のうちの中間電力入力受信機２０８とを含み得る。モジュールの第２のセットは、複数のＣＤＣ２２０、２２２のうちの高電力ＣＤＣ２２０と、電流電圧変換器２１８と、ＰＬＬ２１６と、ＬＤＯ調節器２２４と、バイアス電流生成器２１４と、基準電圧生成器２１２と、複数の入力受信機２０６、２０８、２１０のうちの高電力入力受信機２０６とを含み得る。周波数電力マネージャが第１の電力モードに関連しないモジュールの第２のセット中で有効にする（ステップ７０６）モジュールは、モジュール２２０、２１８、２１６、２２４、２１４、２１２、および２０６の第２のセットのすべてを含み、周波数電力マネージャが第２の電力モードに関連しないモジュールの第１のセット中で無効にする（ステップ７１４）モジュールは、モジュール２２２、２０８の第１のセットのすべてを含む。
【００３２】
[0040]一例では、周波数電力マネージャは中間性能モードから超低電力モードに遷移する。したがって、第１の電力モードは中間性能モードであり、第２の電力モードは超低電力モードである。図３、図５を参照すると、モジュールの第１のセットは、複数のＣＤＣ２２０、２２２のうちの高電力ＣＤＣ２２０と、電流電圧変換器２１８と、ＰＬＬ２１６と、バイアス電流生成器２１４と、複数の入力受信機２０６、２０８、２１０のうちの中間電力入力受信機２０８とを含み得る。モジュールの第２のセットは、複数のＣＤＣ２２０、２２２のうちの低電力ＣＤＣ２２２と、複数の入力受信機２０６、２０８、２１０のうちの低電力入力受信機２１０とを含み得る。周波数電力マネージャが第１の電力モードに関連しないモジュールの第２のセット中で有効にする（ステップ７０６）モジュールは、モジュール２２２、２１０の第２のセットのすべてを含み、周波数電力マネージャが第２の電力モードに関連しないモジュールの第１のセット中で無効にする（ステップ７１４）モジュールは、モジュール２２０、２１８、２１６、２１４、２０８の第１のセットのすべてを含む。
【００３３】
[0041]一例では、周波数電力マネージャは中間性能モードから低電力モードに遷移する。したがって、第１の電力モードは中間性能モードであり、第２の電力モードは低電力モードである。図４、図５を参照すると、モジュールの第１のセットは、複数のＣＤＣ２２０、２２２のうちの高電力ＣＤＣ２２０と、電流電圧変換器２１８と、ＰＬＬ２１６と、バイアス電流生成器２１４と、複数の入力受信機２０６、２０８、２１０のうちの中間電力入力受信機２０８とを含み得る。モジュールの第２のセットは、複数のＣＤＣ２２０、２２２のうちの低電力ＣＤＣ２２２と、中間電力入力受信機２０８とを含み得る。周波数電力マネージャが第１の電力モードに関連しないモジュールの第２のセット中で有効にする（ステップ７０６）モジュールは、低電力ＣＤＣ２２２を含む。中間電力入力受信機２０８は第１の電力モードですでに有効にされたので、周波数電力マネージャは中間電力入力受信機２０８を有効にすることを控える。周波数電力マネージャが第２の電力モードに関連しないモジュールの第１のセット中で無効にする（ステップ７１４）モジュールは、複数のＣＤＣ２２０、２２２のうちの高電力ＣＤＣ２２０と、電流電圧変換器２１８と、ＰＬＬ２１６と、バイアス電流生成器２１４とを含む。中間電力入力受信機２０８は第２の電力モードのために利用されるので、周波数電力マネージャは中間電力入力受信機２０８を無効にすることを控える。
【００３４】
[0042]一例では、周波数電力マネージャは中間性能モードから高性能モードに遷移する。したがって、第１の電力モードは中間性能モードであり、第２の電力モードは高性能モードである。図５、図６を参照すると、モジュールの第１のセットは、複数のＣＤＣ２２０、２２２のうちの高電力ＣＤＣ２２０と、電流電圧変換器２１８と、ＰＬＬ２１６と、バイアス電流生成器２１４と、複数の入力受信機２０６、２０８、２１０のうちの中間電力入力受信機２０８とを含み得る。モジュールの第２のセットは、高電力ＣＤＣ２２０と、電流電圧変換器２１８と、ＰＬＬ２１６と、ＬＤＯ調節器２２４と、バイアス電流生成器２１４と、基準電圧生成器２１２と、複数の入力受信機２０６、２０８、２１０のうちの高電力入力受信機２０６とを含み得る。周波数電力マネージャが第１の電力モードに関連しないモジュールの第２のセット中で有効にする（ステップ７０６）モジュールは、ＬＤＯ調節器２２４と、基準電圧生成器２１２と、高電力入力受信機２０６とを含む。高電力ＣＤＣ２２０と、電流電圧変換器２１８と、ＰＬＬ２１６と、バイアス電流生成器２１４とは第１の電力モードですでに有効にされたので、周波数電力マネージャは、高電力ＣＤＣ２２０と、電流電圧変換器２１８と、ＰＬＬ２１６と、バイアス電流生成器２１４とを有効にすることを控える。周波数電力マネージャが第２の電力モードに関連しないモジュールの第１のセット中で無効にする（ステップ７１４）モジュールは、中間電力入力受信機２０８を含む。高電力ＣＤＣ２２０と、電流電圧変換器２１８と、ＰＬＬ２１６と、バイアス電流生成器２１４とは第２の電力モードのために利用されるので、周波数電力マネージャは、高電力ＣＤＣ２２０と、電流電圧変換器２１８と、ＰＬＬ２１６と、バイアス電流生成器２１４とを無効にすることを控える。
【００３５】
[0043]一例では、周波数電力マネージャは高性能モードから超低電力モードに遷移する。したがって、第１の電力モードは高性能モードであり、第２の電力モードは超低電力モードである。図３、図６を参照すると、モジュールの第１のセットは、複数のＣＤＣ２２０、２２２のうちの高電力ＣＤＣ２２０と、電流電圧変換器２１８と、ＰＬＬ２１６と、ＬＤＯ調節器２２４と、バイアス電流生成器２１４と、基準電圧生成器２１２と、複数の入力受信機２０６、２０８、２１０のうちの高電力入力受信機２０６とを含み得る。モジュールの第２のセットは、複数のＣＤＣ２２０、２２２のうちの低電力ＣＤＣ２２２と、複数の入力受信機２０６、２０８、２１０のうちの低電力入力受信機２１０とを含み得る。周波数電力マネージャが第１の電力モードに関連しないモジュールの第２のセット中で有効にする（ステップ７０６）モジュールは、モジュール２２２、２１０の第２のセットのすべてを含み、周波数電力マネージャが第２の電力モードに関連しないモジュールの第１のセット中で無効にする（ステップ７１４）モジュールは、モジュール２２０、２１８、２１６、２２４、２１４、２１２、２０６の第１のセットのすべてを含む。
【００３６】
[0044]一例では、周波数電力マネージャは高性能モードから低電力モードに遷移する。したがって、第１の電力モードは高性能モードであり、第２の電力モードは低電力モードである。図４、図６を参照すると、モジュールの第１のセットは、複数のＣＤＣ２２０、２２２のうちの高電力ＣＤＣ２２０と、電流電圧変換器２１８と、ＰＬＬ２１６と、ＬＤＯ調節器２２４と、バイアス電流生成器２１４と、基準電圧生成器２１２と、複数の入力受信機２０６、２０８、２１０のうちの高電力入力受信機２０６とを含み得る。モジュールの第２のセットは、複数のＣＤＣ２２０、２２２のうちの低電力ＣＤＣ２２２と、複数の入力受信機２０６、２０８、２１０のうちの中間電力入力受信機２０８とを含み得る。周波数電力マネージャが第１の電力モードに関連しないモジュールの第２のセット中で有効にする（ステップ７０６）モジュールは、モジュール２２２、２０８の第２のセットのすべてを含み、周波数電力マネージャが第２の電力モードに関連しないモジュールの第１のセット中で無効にする（ステップ７１４）モジュールは、モジュール２２０、２１８、２１６、２２４、２１４、２１２、２０６の第１のセットのすべてを含む。
【００３７】
[0045]一例では、周波数電力マネージャは高性能モードから中間性能モードに遷移する。したがって、第１の電力モードは高性能モードであり、第２の電力モードは中間性能モードである。図５、図６を参照すると、モジュールの第１のセットは、複数のＣＤＣ２２０、２２２のうちの高電力ＣＤＣ２２０と、電流電圧変換器２１８と、ＰＬＬ２１６と、ＬＤＯ調節器２２４と、バイアス電流生成器２１４と、基準電圧生成器２１２と、複数の入力受信機２０６、２０８、２１０のうちの高電力入力受信機２０６とを含み得る。モジュールの第２のセットは、高電力ＣＤＣ２２０と、電流電圧変換器２１８と、ＰＬＬ２１６と、バイアス電流生成器２１４と、中間電力入力受信機２０８とを含み得る。周波数電力マネージャが第１の電力モードに関連しないモジュールの第２のセット中で有効にする（ステップ７０６）モジュールは、中間電力入力受信機２０８を含む。高電力ＣＤＣ２２０と、電流電圧変換器２１８と、ＰＬＬ２１６と、バイアス電流生成器２１４とは第１の電力モードですでに有効にされたので、周波数電力マネージャは、高電力ＣＤＣ２２０と、電流電圧変換器２１８と、ＰＬＬ２１６と、バイアス電流生成器２１４とを有効にすることを控える。周波数電力マネージャが第２の電力モードに関連しないモジュールの第１のセット中で無効にする（ステップ７１４）モジュールは、ＬＤＯ調節器２２４と、基準電圧生成器２１２と、高電力入力受信機２０６とを含む。高電力ＣＤＣ２２０と、電流電圧変換器２１８と、ＰＬＬ２１６と、バイアス電流生成器２１４とは第２の電力モードのために利用されるので、周波数電力マネージャは、高電力ＣＤＣ２２０と、電流電圧変換器２１８と、ＰＬＬ２１６と、バイアス電流生成器２１４とを無効にすることを控える。
【００３８】
[0046]図８は、周波数電力マネージャ内のＦＳＭモジュールを示す図８００である。図８中の矢印は有効化シーケンスを示す。周波数電力マネージャは、バイアス生成器ＦＳＭ８０２と、ＬＤＯ  ＦＳＭ８０４と、ＣＤＣ  ＦＳＭ８０６と、入力受信機ＦＳＭ８０８と、入力受信機較正ＦＳＭ８１０とを含み得る。バイアス生成器ＦＳＭ８０２は、バイアス電流生成器２１４と、基準電圧生成器２１２と、ＰＬＬ２１６と、電流電圧変換器２１８とを有効にする。ＬＤＣ  ＦＳＭ８０４はＬＤＯ調節器２２４を有効にする。ＣＤＣ  ＦＳＭ８０６はＨＰ  ＣＤＣ２２０とＬＰ  ＣＤＣ２２２とを有効にする。入力受信機ＦＳＭ８０８は入力受信機２０６、２０８、２１０を有効にする。入力受信機較正ＦＳＭ８１０は、入力受信機２０６、２０８、２１０内のドライバを較正する。
【００３９】
[0047]バイアス電流生成器２１４とＬＤＯ調節器２２４の両方が（たとえば、高性能モードで）有効にされる場合、周波数電力マネージャは初めにバイアス生成器ＦＳＭ８０２を開始する。バイアス生成器ＦＳＭ８０２が最終状態に達したとき、周波数電力マネージャは、ＬＤＯ  ＦＳＭ８０４と、入力受信機ＦＳＭ８０８と、入力受信機較正ＦＳＭ８１０とを並行して開始する。ＬＤＯ  ＦＳＭ８０４が最終状態に達したとき、周波数電力マネージャはＣＤＣ  ＦＳＭ８０６を開始する。バイアス電流生成器２１４は有効にされるが、ＬＤＯ調節器２２４は（たとえば、中間性能モードで）有効にされない場合、周波数電力マネージャは初めにバイアス生成器ＦＳＭ８０２を開始する。バイアス生成器ＦＳＭ８０２が最終状態に達したとき、周波数電力マネージャは、入力受信機ＦＳＭ８０８と、入力受信機較正ＦＳＭ８１０と、ＣＤＣ  ＦＳＭ８０６とを並行して開始する。バイアス電流生成器２１４が（たとえば、超低電力モードまたは低電力モードで）有効にされない場合、周波数電力マネージャは、入力受信機ＦＳＭ８０８と、入力受信機較正ＦＳＭ８１０と、ＣＤＣ  ＦＳＭ８０６とを並行して開始する。
【００４０】
[0048]図９は、例示的な装置９０２中の異なるモジュール／手段／構成要素間のデータフローを示す概念データフロー図である。本装置は、複数のモジュールの電力モードを制御する周波数電力マネージャハードウェアモジュールと、複数のモジュールがそれとインターフェースする外部モジュールとである。本装置は、所望の動作周波数の指示を受信するように構成された受信モジュール９０４を含み得る。本装置は、第１の電力モードから所望の動作周波数に対応する第２の電力モードに切り替わることを決定するように構成された、電力モード切替え決定モジュール９０６を含み得る。第１の電力モードは、複数のモジュールのうちのモジュールの第１のセットに関連する。第２の電力モードは、複数のモジュールのうちのモジュールの第２のセットに関連する。本装置は、第１の電力モードに関連しないモジュールの第２のセット中のモジュールを有効にするように構成された、有効化モジュール９０８を含み得る。本装置は、モジュールの第２のセットが定常状態に達するまで時間期間の間待つように構成された、待機モジュール９１０を含み得る。本装置は、第１の電力モードに関連しないモジュールの第２のセット中のモジュールを有効にした後、ある時間期間の満了時に複数のモジュールを通るトラフィックを停止するように構成された、トラフィック停止モジュール９１２を含み得る。本装置は、モジュールの第２のセットを介してトラフィックをルーティングするように構成されたトラフィックルーティングモジュール９１４を含み得る。本装置は、第２の電力モードに関連しないモジュールの第１のセット中のモジュールを無効にするように構成された無効化モジュール９１６を含み得る。
【００４１】
[0049]モジュール９０４〜９１４は１つまたは複数のＦＳＭ中に含まれ得る。たとえば、モジュール９０６は第１のＦＳＭモジュールを用いて実装され得、モジュール９０８は第２のＦＳＭモジュールを用いて実装され得、モジュール９１２は第３のＦＳＭモジュールを用いて実装され得、モジュール９１４は第４のＦＳＭモジュールを用いて実装され得、モジュール９１６は第５のＦＳＭモジュールを用いて実装され得、モジュール９１０は第６のＦＳＭモジュールを用いて実装され得、モジュール９０４は第７のＦＳＭモジュールを用いて実装され得る。上述のＦＳＭモジュールは１つまたは複数のＦＳＭにおいて実装され得る。本装置は、図７の上述のフローチャート中のアルゴリズムのステップの各々を実行する追加のモジュール（たとえば、ＦＳＭモジュール）を含み得る。したがって、図７の上述のフローチャート中の各ステップは１つのモジュールによって実行され得、本装置は、それらのモジュールのうちの１つまたは複数を含み得る。モジュールは、述べられたプロセス／アルゴリズムを実行するように特に構成されたＦＳＭなどの１つまたは複数のハードウェア構成要素であり得る。詳細には、ＦＳＭは、最小ダウンタイム（たとえば、１０〜２０ｎｓ）を用いてモジュールを有効にするために必須の正確なタイミングを達成するために、組合せ論理ゲートのセット（たとえば、ＡＮＤ、ＯＲ、ＸＯＲなど）を使用して実装され得る。ソフトウェアではなく、専用ハードウェアを用いてモジュール９０４〜９１４を実装することによって、モジュール９０４〜９１４は、ハードウェア駆動型動的電圧／周波数切替えを通して電力を最適化し、電力モード間の高速および効率的な遷移を実現する。
【００４２】
[0050]一構成では、周波数電力マネージャ装置は、複数のモジュールの電力モードを制御するハードウェアモジュールである。本装置は、第１の電力モードから第２の電力モードに切り替わることを決定するための手段を含む。第１の電力モードは、複数のモジュールのうちのモジュールの第１のセットに関連する。第２の電力モードは、複数のモジュールのうちのモジュールの第２のセットに関連する。本装置は、第１の電力モードに関連しないモジュールの第２のセット中のモジュールを有効にするための手段をさらに含む。本装置は、第１の電力モードに関連しないモジュールの第２のセット中のモジュールを有効にした後、ある時間期間の満了時に複数のモジュールを通るトラフィックを停止するための手段をさらに含む。本装置は、モジュールの第２のセットを介してトラフィックをルーティングするための手段をさらに含む。本装置は、第２の電力モードに関連しないモジュールの第１のセット中のモジュールを無効にするための手段をさらに含む。本装置は、モジュールの第２のセットが定常状態に達するまで時間期間の間待つための手段をさらに含み得る。本装置は、所望の動作周波数の指示を受信するための手段をさらに含み得る。第２の電力モードは所望の動作周波数に対応し得る。上述の手段は、周波数電力マネージャ装置１０６、９０２内の上述の手段によって具陳された機能を実行するように構成された上述のＦＳＭモジュール８０２〜８１０および／またはモジュール９０４〜９１６のうちの１つまたは複数であり得る。
【００４３】
[0051]開示したプロセスにおけるステップの特定の順序または階層は、例示的な手法の一例であることを理解されたい。設計上の選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００４４】
[0052]以上の説明は、本明細書で説明した様々な態様を当業者が実施できるようにするために与えたものである。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつかの」という用語は１つまたは複数のを指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
複数のモジュールの電力モードを制御するためのハードウェアモジュールの方法であって、
所望の動作周波数の指示を受信することと、
前記所望の動作周波数の前記受信された指示に基づいて第１の電力モードから第２の電力モードに切り替わることを決定すること、前記第１の電力モードが前記複数のモジュールのうちのモジュールの第１のセットに関連し、前記第２の電力モードが前記複数のモジュールのうちのモジュールの第２のセットに関連し、前記第２の電力モードが前記所望の動作周波数に対応する、と、
前記第１の電力モードに関連しないモジュールの前記第２のセット中のモジュールを有効にすることと、
前記第１の電力モードに関連しないモジュールの前記第２のセット中の前記モジュールを有効にした後、ある時間期間の満了時に前記複数のモジュールを通るトラフィックを停止することと、
モジュールの前記第２のセットを介してトラフィックをルーティングすることと、
前記第２の電力モードに関連しないモジュールの前記第１のセット中のモジュールを無効にすることと、
を備える、方法。
［Ｃ２］
前記モジュールを前記有効にすることが、前記モジュールをオンにすることを備え、前記モジュールを前記無効にすることが、前記モジュールをオフにすることを備える、Ｃ１に記載の方法。
［Ｃ３］
前記モジュールを前記有効にすることが、前記モジュールの状態を低電力待機状態から高電力動作状態に変更することを備え、前記モジュールを前記無効にすることが、前記モジュールの状態を高電力動作状態から低電力待機状態に変更することを備える、Ｃ１に記載の方法。
［Ｃ４］
前記トラフィックが約１０ｎｓ〜２０ｎｓの間停止される、Ｃ１に記載の方法。
［Ｃ５］
モジュールの前記第２のセットが定常状態に達するまで前記時間期間の間待つことをさらに備える、Ｃ１に記載の方法。
［Ｃ６］
前記ハードウェアモジュールとモジュールの前記第１および第２のセットとがダブルデータレート（ＤＤＲ）物理（ＰＨＹ）ハードウェアモジュール内にある、Ｃ１に記載の方法。
［Ｃ７］
前記複数のモジュールがダブルデータレート（ＤＤＲ）ダイナミックランダムアクセスメモリ（ＤＲＡＭ）に関連する、Ｃ１に記載の方法。
［Ｃ８］
前記複数のモジュールが、第１の較正遅延回路（ＣＤＣ）と、前記第１のＣＤＣと並列な第２のＣＤＣとを備え、モジュールの前記第１のセットが前記第１のＣＤＣを備え、モジュールの前記第２のセットが前記第２のＣＤＣを備え、ここにおいて、前記第１の電力モードに関連しないモジュールの前記第２のセット中で有効にされる前記モジュールが、前記第２のＣＤＣを備え、前記第２の電力モードに関連しないモジュールの前記第１のセット中で無効にされる前記モジュールが、前記第１のＣＤＣを備える、Ｃ１に記載の方法。
［Ｃ９］
前記第２のＣＤＣが、前記第１のＣＤＣよりも高い電力モードをサポートする、Ｃ８に記載の方法。
［Ｃ１０］
前記第２のＣＤＣが、前記第１のＣＤＣよりも低い電力モードをサポートする、Ｃ８に記載の方法。
［Ｃ１１］
前記複数のモジュールが、第１の入力受信機と、前記第１の入力受信機と並列な第２の入力受信機とを備え、モジュールの前記第１のセットが前記第１の入力受信機を備え、モジュールの前記第２のセットが前記第２の入力受信機を備え、ここにおいて、前記第１の電力モードに関連しないモジュールの前記第２のセット中で有効にされる前記モジュールが、前記第２の入力受信機を備え、前記第２の電力モードに関連しないモジュールの前記第１のセット中で無効にされる前記モジュールが、前記第１の入力受信機を備える、Ｃ１に記載の方法。
［Ｃ１２］
前記第２の入力受信機が、前記第１の入力受信機よりも高い電力モードをサポートする、Ｃ１１に記載の方法。
［Ｃ１３］
前記第２の入力受信機が、前記第１の入力受信機よりも低い電力モードをサポートする、Ｃ１１に記載の方法。
［Ｃ１４］
前記複数のモジュールが、複数の較正遅延回路（ＣＤＣ）、複数の入力受信機、低ドロップアウト（ＬＤＯ）調節器、電流電圧変換器、位相ロックループ（ＰＬＬ）、バイアス電流生成器、または基準電圧生成器のうちの少なくとも１つを備える、Ｃ１に記載の方法。
［Ｃ１５］
前記第１の電力モードが超低電力モードを備え、前記第２の電力モードが低電力モードを備え、モジュールの前記第１のセットが、前記複数のＣＤＣのうちの低電力ＣＤＣと、前記複数の入力受信機のうちの低電力入力受信機とを備え、モジュールの前記第２のセットが、前記低電力ＣＤＣと、前記複数の入力受信機のうちの中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記低電力入力受信機を備える、Ｃ１４に記載の方法。
［Ｃ１６］
前記第１の電力モードが超低電力モードを備え、前記第２の電力モードが中間性能モードを備え、モジュールの前記第１のセットが、前記複数のＣＤＣのうちの低電力ＣＤＣと、前記複数の入力受信機のうちの低電力入力受信機とを備え、モジュールの前記第２のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ１４に記載の方法。
［Ｃ１７］
前記第１の電力モードが超低電力モードを備え、前記第２の電力モードが高性能モードを備え、モジュールの前記第１のセットが、前記複数のＣＤＣのうちの低電力ＣＤＣと、前記複数の入力受信機のうちの低電力入力受信機とを備え、モジュールの前記第２のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ１４に記載の方法。
［Ｃ１８］
前記第１の電力モードが低電力モードを備え、前記第２の電力モードが超低電力モードを備え、モジュールの前記第１のセットが、前記複数のＣＤＣのうちの低電力ＣＤＣと、前記複数の入力受信機のうちの中間電力入力受信機とを備え、モジュールの前記第２のセットが、前記低電力ＣＤＣと、前記複数の入力受信機のうちの低電力入力受信機とを備え、ここにおいて、前記第１の電力モードに関連しないモジュールの前記第２のセット中で有効にされる前記モジュールが、前記低電力入力受信機を備え、前記第２の電力モードに関連しないモジュールの前記第１のセット中で無効にされる前記モジュールが、前記中間電力入力受信機を備える、Ｃ１４に記載の方法。
［Ｃ１９］
前記第１の電力モードが低電力モードを備え、前記第２の電力モードが中間性能モードを備え、モジュールの前記第１のセットが、前記複数のＣＤＣのうちの低電力ＣＤＣと、前記複数の入力受信機のうちの中間電力入力受信機とを備え、モジュールの前記第２のセットが、前記複数のＣＤＣのうちの高電力ＣＤＣと、前記電流電圧変換器と、前記ＰＬＬと、前記バイアス電流生成器と、前記中間電力入力受信機とを備え、ここにおいて、前記第１の電力モードに関連しないモジュールの前記第２のセット中で有効にされる前記モジュールが、前記高電力ＣＤＣと、前記電流電圧変換器と、前記ＰＬＬと、前記バイアス電流生成器とを備え、前記第２の電力モードに関連しないモジュールの前記第１のセット中で無効にされる前記モジュールが、前記低電力ＣＤＣを備える、Ｃ１４に記載の方法。
［Ｃ２０］
前記第１の電力モードが低電力モードを備え、前記第２の電力モードが高性能モードを備え、モジュールの前記第１のセットが、前記複数のＣＤＣのうちの低電力ＣＤＣと、前記複数の入力受信機のうちの中間電力入力受信機とを備え、モジュールの前記第２のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ１４に記載の方法。
［Ｃ２１］
前記第１の電力モードが中間性能モードを備え、前記第２の電力モードが超低電力モードを備え、モジュールの前記第１のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、モジュールの前記第２のセットが、前記複数のＣＤＣのうちの低電力ＣＤＣと、前記複数の入力受信機のうちの低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ１４に記載の方法。
［Ｃ２２］
前記第１の電力モードが中間性能モードを備え、前記第２の電力モードが低電力モードを備え、モジュールの前記第１のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、モジュールの前記第２のセットが、前記複数のＣＤＣのうちの低電力ＣＤＣと、前記中間電力入力受信機とを備え、ここにおいて、前記第１の電力モードに関連しないモジュールの前記第２のセット中で有効にされる前記モジュールが、前記低電力ＣＤＣを備え、前記第２の電力モードに関連しないモジュールの前記第１のセット中で無効にされる前記モジュールが、前記複数のＣＤＣのうちの前記高電力ＣＤＣと、前記電流電圧変換器と、前記ＰＬＬと、前記バイアス電流生成器とを備える、Ｃ１４に記載の方法。
［Ｃ２３］
前記第１の電力モードが中間性能モードを備え、前記第２の電力モードが高性能モードを備え、モジュールの前記第１のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、モジュールの前記第２のセットが、前記高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、ここにおいて、前記第１の電力モードに関連しないモジュールの前記第２のセット中で有効にされる前記モジュールが、前記ＬＤＯ調節器と、前記基準電圧生成器と、前記高電力入力受信機とを備え、前記第２の電力モードに関連しないモジュールの前記第１のセット中で無効にされる前記モジュールが、前記中間電力入力受信機を備える、Ｃ１４に記載の方法。
［Ｃ２４］
前記第１の電力モードが高性能モードを備え、前記第２の電力モードが超低電力モードを備え、モジュールの前記第１のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、モジュールの前記第２のセットが、前記複数のＣＤＣのうちの低電力ＣＤＣと、前記複数の入力受信機のうちの低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ１４に記載の方法。
［Ｃ２５］
前記第１の電力モードが高性能モードを備え、前記第２の電力モードが低電力モードを備え、モジュールの前記第１のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、モジュールの前記第２のセットが、前記複数のＣＤＣのうちの低電力ＣＤＣと、前記複数の入力受信機のうちの中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ１４に記載の方法。
［Ｃ２６］
前記第１の電力モードが高性能モードを備え、前記第２の電力モードが中間性能モードを備え、モジュールの前記第１のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、モジュールの前記第２のセットが、前記高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記ＬＤＯ調節器と、前記基準電圧生成器と、前記高電力入力受信機とを備える、Ｃ１４に記載の方法。
［Ｃ２７］
前記モジュールが特定のシーケンスで有効にされる、Ｃ１に記載の方法。
［Ｃ２８］
複数のモジュールの電力モードを制御するためのハードウェアモジュール装置であって、
複数のモジュールと、
所望の動作周波数の指示を受信するための手段と、
前記所望の動作周波数の前記受信された指示に基づいて第１の電力モードから第２の電力モードに切り替わることを決定するための手段、前記第１の電力モードが前記複数のモジュールのうちのモジュールの第１のセットに関連し、前記第２の電力モードが前記複数のモジュールのうちのモジュールの第２のセットに関連し、前記第２の電力モードが前記所望の動作周波数に対応する、と、
前記第１の電力モードに関連しないモジュールの前記第２のセット中のモジュールを有効にするための手段と、
前記第１の電力モードに関連しないモジュールの前記第２のセット中の前記モジュールを有効にした後、ある時間期間の満了時に前記複数のモジュールを通るトラフィックを停止するための手段と、
モジュールの前記第２のセットを介してトラフィックをルーティングするための手段と、
前記第２の電力モードに関連しないモジュールの前記第１のセット中のモジュールを無効にするための手段と、
を備える、装置。
［Ｃ２９］
前記モジュールを有効にするための前記手段が、前記モジュールをオンにするように構成され、前記モジュールを無効にするための前記手段が、前記モジュールをオフにするように構成された、Ｃ２８に記載の装置。
［Ｃ３０］
前記モジュールを有効にするための前記手段が、前記モジュールの状態を低電力待機状態から高電力動作状態に変更するように構成され、前記モジュールを無効にするための前記手段が、前記モジュールの状態を高電力動作状態から低電力待機状態に変更するように構成された、Ｃ２８に記載の装置。
［Ｃ３１］
前記トラフィックが約１０ｎｓ〜２０ｎｓの間停止される、Ｃ２８に記載の装置。
［Ｃ３２］
モジュールの前記第２のセットが定常状態に達するまで前記時間期間の間待つための手段をさらに備える、Ｃ２８に記載の装置。
［Ｃ３３］
前記ハードウェアモジュールとモジュールの前記第１および第２のセットとがダブルデータレート（ＤＤＲ）物理（ＰＨＹ）ハードウェアモジュール内にある、Ｃ２８に記載の装置。
［Ｃ３４］
前記複数のモジュールがダブルデータレート（ＤＤＲ）ダイナミックランダムアクセスメモリ（ＤＲＡＭ）に関連する、Ｃ２８に記載の装置。
［Ｃ３５］
前記複数のモジュールが、第１の較正遅延回路（ＣＤＣ）と、前記第１のＣＤＣと並列な第２のＣＤＣとを備え、モジュールの前記第１のセットが前記第１のＣＤＣを備え、モジュールの前記第２のセットが前記第２のＣＤＣを備え、ここにおいて、前記第１の電力モードに関連しないモジュールの前記第２のセット中で有効にされる前記モジュールが、前記第２のＣＤＣを備え、前記第２の電力モードに関連しないモジュールの前記第１のセット中で無効にされる前記モジュールが、前記第１のＣＤＣを備える、Ｃ２８に記載の装置。
［Ｃ３６］
前記第２のＣＤＣが、前記第１のＣＤＣよりも高い電力モードをサポートする、Ｃ３５に記載の装置。
［Ｃ３７］
前記第２のＣＤＣが、前記第１のＣＤＣよりも低い電力モードをサポートする、Ｃ３５に記載の装置。
［Ｃ３８］
前記複数のモジュールが、第１の入力受信機と、前記第１の入力受信機と並列な第２の入力受信機とを備え、モジュールの前記第１のセットが前記第１の入力受信機を備え、モジュールの前記第２のセットが前記第２の入力受信機を備え、ここにおいて、前記第１の電力モードに関連しないモジュールの前記第２のセット中で有効にされる前記モジュールが、前記第２の入力受信機を備え、前記第２の電力モードに関連しないモジュールの前記第１のセット中で無効にされる前記モジュールが、前記第１の入力受信機を備える、Ｃ２８に記載の装置。
［Ｃ３９］
前記第２の入力受信機が、前記第１の入力受信機よりも高い電力モードをサポートする、Ｃ３８に記載の装置。
［Ｃ４０］
前記第２の入力受信機が、前記第１の入力受信機よりも低い電力モードをサポートする、Ｃ３８に記載の装置。
［Ｃ４１］
前記複数のモジュールが、複数の較正遅延回路（ＣＤＣ）、複数の入力受信機、低ドロップアウト（ＬＤＯ）調節器、電流電圧変換器、位相ロックループ（ＰＬＬ）、バイアス電流生成器、または基準電圧生成器のうちの少なくとも１つを備える、Ｃ２８に記載の装置。
［Ｃ４２］
前記第１の電力モードが超低電力モードを備え、前記第２の電力モードが低電力モードを備え、モジュールの前記第１のセットが、前記複数のＣＤＣのうちの低電力ＣＤＣと、前記複数の入力受信機のうちの低電力入力受信機とを備え、モジュールの前記第２のセットが、前記低電力ＣＤＣと、前記複数の入力受信機のうちの中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記低電力入力受信機を備える、Ｃ４１に記載の装置。
［Ｃ４３］
前記第１の電力モードが超低電力モードを備え、前記第２の電力モードが中間性能モードを備え、モジュールの前記第１のセットが、前記複数のＣＤＣのうちの低電力ＣＤＣと、前記複数の入力受信機のうちの低電力入力受信機とを備え、モジュールの前記第２のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ４１に記載の装置。
［Ｃ４４］
前記第１の電力モードが超低電力モードを備え、前記第２の電力モードが高性能モードを備え、モジュールの前記第１のセットが、前記複数のＣＤＣのうちの低電力ＣＤＣと、前記複数の入力受信機のうちの低電力入力受信機とを備え、モジュールの前記第２のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ４１に記載の装置。
［Ｃ４５］
前記第１の電力モードが低電力モードを備え、前記第２の電力モードが超低電力モードを備え、モジュールの前記第１のセットが、前記複数のＣＤＣのうちの低電力ＣＤＣと、前記複数の入力受信機のうちの中間電力入力受信機とを備え、モジュールの前記第２のセットが、前記低電力ＣＤＣと、前記複数の入力受信機のうちの低電力入力受信機とを備え、ここにおいて、前記第１の電力モードに関連しないモジュールの前記第２のセット中で有効にされる前記モジュールが、前記低電力入力受信機を備え、前記第２の電力モードに関連しないモジュールの前記第１のセット中で無効にされる前記モジュールが、前記中間電力入力受信機を備える、Ｃ４１に記載の装置。
［Ｃ４６］
前記第１の電力モードが低電力モードを備え、前記第２の電力モードが中間性能モードを備え、モジュールの前記第１のセットが、前記複数のＣＤＣのうちの低電力ＣＤＣと、前記複数の入力受信機のうちの中間電力入力受信機とを備え、モジュールの前記第２のセットが、前記複数のＣＤＣのうちの高電力ＣＤＣと、前記電流電圧変換器と、前記ＰＬＬと、前記バイアス電流生成器と、前記中間電力入力受信機とを備え、ここにおいて、前記第１の電力モードに関連しないモジュールの前記第２のセット中で有効にされる前記モジュールが、前記高電力ＣＤＣと、前記電流電圧変換器と、前記ＰＬＬと、前記バイアス電流生成器とを備え、前記第２の電力モードに関連しないモジュールの前記第１のセット中で無効にされる前記モジュールが、前記低電力ＣＤＣを備える、Ｃ４１に記載の装置。
［Ｃ４７］
前記第１の電力モードが低電力モードを備え、前記第２の電力モードが高性能モードを備え、モジュールの前記第１のセットが、前記複数のＣＤＣのうちの低電力ＣＤＣと、前記複数の入力受信機のうちの中間電力入力受信機とを備え、モジュールの前記第２のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ４１に記載の装置。
［Ｃ４８］
前記第１の電力モードが中間性能モードを備え、前記第２の電力モードが超低電力モードを備え、モジュールの前記第１のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、モジュールの前記第２のセットが、前記複数のＣＤＣのうちの低電力ＣＤＣと、前記複数の入力受信機のうちの低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ４１に記載の装置。
［Ｃ４９］
前記第１の電力モードが中間性能モードを備え、前記第２の電力モードが低電力モードを備え、モジュールの前記第１のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、モジュールの前記第２のセットが、前記複数のＣＤＣのうちの低電力ＣＤＣと、前記中間電力入力受信機とを備え、ここにおいて、前記第１の電力モードに関連しないモジュールの前記第２のセット中で有効にされる前記モジュールが、前記低電力ＣＤＣを備え、前記第２の電力モードに関連しないモジュールの前記第１のセット中で無効にされる前記モジュールが、前記複数のＣＤＣのうちの前記高電力ＣＤＣと、前記電流電圧変換器と、前記ＰＬＬと、前記バイアス電流生成器とを備える、Ｃ４１に記載の装置。
［Ｃ５０］
前記第１の電力モードが中間性能モードを備え、前記第２の電力モードが高性能モードを備え、モジュールの前記第１のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、モジュールの前記第２のセットが、前記高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、ここにおいて、前記第１の電力モードに関連しないモジュールの前記第２のセット中で有効にされる前記モジュールが、前記ＬＤＯ調節器と、前記基準電圧生成器と、前記高電力入力受信機とを備え、前記第２の電力モードに関連しないモジュールの前記第１のセット中で無効にされる前記モジュールが、前記中間電力入力受信機を備える、Ｃ４１に記載の装置。
［Ｃ５１］
前記第１の電力モードが高性能モードを備え、前記第２の電力モードが超低電力モードを備え、モジュールの前記第１のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、モジュールの前記第２のセットが、前記複数のＣＤＣのうちの低電力ＣＤＣと、前記複数の入力受信機のうちの低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ４１に記載の装置。
［Ｃ５２］
前記第１の電力モードが高性能モードを備え、前記第２の電力モードが低電力モードを備え、モジュールの前記第１のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、モジュールの前記第２のセットが、前記複数のＣＤＣのうちの低電力ＣＤＣと、前記複数の入力受信機のうちの中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ４１に記載の装置。
［Ｃ５３］
前記第１の電力モードが高性能モードを備え、前記第２の電力モードが中間性能モードを備え、モジュールの前記第１のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、モジュールの前記第２のセットが、前記高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記ＬＤＯ調節器と、前記基準電圧生成器と、前記高電力入力受信機とを備える、Ｃ４１に記載の装置。
［Ｃ５４］
前記モジュールが特定のシーケンスで有効にされる、Ｃ２８に記載の装置。
［Ｃ５５］
複数のモジュールの電力モードを制御するための集積回路ハードウェアモジュール装置であって、
複数のモジュールと、
周波数電力マネージャとを備え、前記周波数電力マネージャが、
所望の動作周波数の指示を受信することと、
前記所望の動作周波数の前記受信された指示に基づいて第１の電力モードから第２の電力モードに切り替わることを決定すること、前記第１の電力モードが前記複数のモジュールのうちのモジュールの第１のセットに関連し、前記第２の電力モードが前記複数のモジュールのうちのモジュールの第２のセットに関連し、前記第２の電力モードが前記所望の動作周波数に対応する、と、
前記第１の電力モードに関連しないモジュールの前記第２のセット中のモジュールを有効にすることと、
前記第１の電力モードに関連しないモジュールの前記第２のセット中の前記モジュールを有効にした後、ある時間期間の満了時に前記複数のモジュールを通るトラフィックを停止することと、
モジュールの前記第２のセットを介してトラフィックをルーティングすることと、
前記第２の電力モードに関連しないモジュールの前記第１のセット中のモジュールを無効にすることと、
を行うように構成された、装置。
［Ｃ５６］
前記周波数電力マネージャが、前記モジュールをオンにすることによって前記モジュールを有効にし、前記モジュールをオフにすることによって前記モジュールを無効にするように構成された、Ｃ５５に記載の装置。
［Ｃ５７］
前記周波数電力マネージャが、前記モジュールの状態を低電力待機状態から高電力動作状態に変更することによって前記モジュールを有効にし、前記モジュールの状態を高電力動作状態から低電力待機状態に変更することによって前記モジュールを無効にするように構成された、Ｃ５５に記載の装置。
［Ｃ５８］
前記トラフィックが約１０ｎｓ〜２０ｎｓの間停止される、Ｃ５５に記載の装置。
［Ｃ５９］
前記周波数電力マネージャが、モジュールの前記第２のセットが定常状態に達するまで前記時間期間の間待つように構成された、Ｃ５５に記載の装置。
［Ｃ６０］
前記ハードウェアモジュールとモジュールの前記第１および第２のセットとがダブルデータレート（ＤＤＲ）物理（ＰＨＹ）ハードウェアモジュール内にある、Ｃ５５に記載の装置。
［Ｃ６１］
前記複数のモジュールがダブルデータレート（ＤＤＲ）ダイナミックランダムアクセスメモリ（ＤＲＡＭ）に関連する、Ｃ５５に記載の装置。
［Ｃ６２］
前記複数のモジュールが、第１の較正遅延回路（ＣＤＣ）と、前記第１のＣＤＣと並列な第２のＣＤＣとを備え、モジュールの前記第１のセットが前記第１のＣＤＣを備え、モジュールの前記第２のセットが前記第２のＣＤＣを備え、ここにおいて、前記第１の電力モードに関連しないモジュールの前記第２のセット中で有効にされる前記モジュールが、前記第２のＣＤＣを備え、前記第２の電力モードに関連しないモジュールの前記第１のセット中で無効にされる前記モジュールが、前記第１のＣＤＣを備える、Ｃ５５に記載の装置。
［Ｃ６３］
前記第２のＣＤＣが、前記第１のＣＤＣよりも高い電力モードをサポートする、Ｃ６２に記載の装置。
［Ｃ６４］
前記第２のＣＤＣが、前記第１のＣＤＣよりも低い電力モードをサポートする、Ｃ６２に記載の装置。
［Ｃ６５］
前記複数のモジュールが、第１の入力受信機と、前記第１の入力受信機と並列な第２の入力受信機とを備え、モジュールの前記第１のセットが前記第１の入力受信機を備え、モジュールの前記第２のセットが前記第２の入力受信機を備え、ここにおいて、前記第１の電力モードに関連しないモジュールの前記第２のセット中で有効にされる前記モジュールが、前記第２の入力受信機を備え、前記第２の電力モードに関連しないモジュールの前記第１のセット中で無効にされる前記モジュールが、前記第１の入力受信機を備える、Ｃ５５に記載の装置。
［Ｃ６６］
前記第２の入力受信機が、前記第１の入力受信機よりも高い電力モードをサポートする、Ｃ６５に記載の装置。
［Ｃ６７］
前記第２の入力受信機が、前記第１の入力受信機よりも低い電力モードをサポートする、Ｃ６５に記載の装置。
［Ｃ６８］
前記複数のモジュールが、複数の較正遅延回路（ＣＤＣ）、複数の入力受信機、低ドロップアウト（ＬＤＯ）調節器、電流電圧変換器、位相ロックループ（ＰＬＬ）、バイアス電流生成器、または基準電圧生成器のうちの少なくとも１つを備える、Ｃ５５に記載の装置。
［Ｃ６９］
前記第１の電力モードが超低電力モードを備え、前記第２の電力モードが低電力モードを備え、モジュールの前記第１のセットが、前記複数のＣＤＣのうちの低電力ＣＤＣと、前記複数の入力受信機のうちの低電力入力受信機とを備え、モジュールの前記第２のセットが、前記低電力ＣＤＣと、前記複数の入力受信機のうちの中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記低電力入力受信機を備える、Ｃ６８に記載の装置。
［Ｃ７０］
前記第１の電力モードが超低電力モードを備え、前記第２の電力モードが中間性能モードを備え、モジュールの前記第１のセットが、前記複数のＣＤＣのうちの低電力ＣＤＣと、前記複数の入力受信機のうちの低電力入力受信機とを備え、モジュールの前記第２のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ６８に記載の装置。
［Ｃ７１］
前記第１の電力モードが超低電力モードを備え、前記第２の電力モードが高性能モードを備え、モジュールの前記第１のセットが、前記複数のＣＤＣのうちの低電力ＣＤＣと、前記複数の入力受信機のうちの低電力入力受信機とを備え、モジュールの前記第２のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ６８に記載の装置。
［Ｃ７２］
前記第１の電力モードが低電力モードを備え、前記第２の電力モードが超低電力モードを備え、モジュールの前記第１のセットが、前記複数のＣＤＣのうちの低電力ＣＤＣと、前記複数の入力受信機のうちの中間電力入力受信機とを備え、モジュールの前記第２のセットが、前記低電力ＣＤＣと、前記複数の入力受信機のうちの低電力入力受信機とを備え、ここにおいて、前記第１の電力モードに関連しないモジュールの前記第２のセット中で有効にされる前記モジュールが、前記低電力入力受信機を備え、前記第２の電力モードに関連しないモジュールの前記第１のセット中で無効にされる前記モジュールが、前記中間電力入力受信機を備える、Ｃ６８に記載の装置。
［Ｃ７３］
前記第１の電力モードが低電力モードを備え、前記第２の電力モードが中間性能モードを備え、モジュールの前記第１のセットが、前記複数のＣＤＣのうちの低電力ＣＤＣと、前記複数の入力受信機のうちの中間電力入力受信機とを備え、モジュールの前記第２のセットが、前記複数のＣＤＣのうちの高電力ＣＤＣと、前記電流電圧変換器と、前記ＰＬＬと、前記バイアス電流生成器と、前記中間電力入力受信機とを備え、ここにおいて、前記第１の電力モードに関連しないモジュールの前記第２のセット中で有効にされる前記モジュールが、前記高電力ＣＤＣと、前記電流電圧変換器と、前記ＰＬＬと、前記バイアス電流生成器とを備え、前記第２の電力モードに関連しないモジュールの前記第１のセット中で無効にされる前記モジュールが、前記低電力ＣＤＣを備える、Ｃ６８に記載の装置。
［Ｃ７４］
前記第１の電力モードが低電力モードを備え、前記第２の電力モードが高性能モードを備え、モジュールの前記第１のセットが、前記複数のＣＤＣのうちの低電力ＣＤＣと、前記複数の入力受信機のうちの中間電力入力受信機とを備え、モジュールの前記第２のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ６８に記載の装置。
［Ｃ７５］
前記第１の電力モードが中間性能モードを備え、前記第２の電力モードが超低電力モードを備え、モジュールの前記第１のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、モジュールの前記第２のセットが、前記複数のＣＤＣのうちの低電力ＣＤＣと、前記複数の入力受信機のうちの低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ６８に記載の装置。
［Ｃ７６］
前記第１の電力モードが中間性能モードを備え、前記第２の電力モードが低電力モードを備え、モジュールの前記第１のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、モジュールの前記第２のセットが、前記複数のＣＤＣのうちの低電力ＣＤＣと、前記中間電力入力受信機とを備え、ここにおいて、前記第１の電力モードに関連しないモジュールの前記第２のセット中で有効にされる前記モジュールが、前記低電力ＣＤＣを備え、前記第２の電力モードに関連しないモジュールの前記第１のセット中で無効にされる前記モジュールが、前記複数のＣＤＣのうちの前記高電力ＣＤＣと、前記電流電圧変換器と、前記ＰＬＬと、前記バイアス電流生成器とを備える、Ｃ６８に記載の装置。
［Ｃ７７］
前記第１の電力モードが中間性能モードを備え、前記第２の電力モードが高性能モードを備え、モジュールの前記第１のセットが、前記複数のＣＤＣのうちの高電力ＣＤＣと、前記電流電圧変換器と、前記ＰＬＬと、前記バイアス電流生成器と、前記複数の入力受信機のうちの中間電力入力受信機とを備え、モジュールの前記第２のセットが、前記高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、ここにおいて、前記第１の電力モードに関連しないモジュールの前記第２のセット中で有効にされる前記モジュールが、前記ＬＤＯ調節器と、前記基準電圧生成器と、前記高電力入力受信機とを備え、前記第２の電力モードに関連しないモジュールの前記第１のセット中で無効にされる前記モジュールが、前記中間電力入力受信機を備える、Ｃ６８に記載の装置。
［Ｃ７８］
前記第１の電力モードが高性能モードを備え、前記第２の電力モードが超低電力モードを備え、モジュールの前記第１のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、モジュールの前記第２のセットが、前記複数のＣＤＣのうちの低電力ＣＤＣと、前記複数の入力受信機のうちの低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ６８に記載の装置。
［Ｃ７９］
前記第１の電力モードが高性能モードを備え、前記第２の電力モードが低電力モードを備え、モジュールの前記第１のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、モジュールの前記第２のセットが、前記複数のＣＤＣのうちの低電力ＣＤＣと、前記複数の入力受信機のうちの中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、Ｃ６８に記載の装置。
［Ｃ８０］
前記第１の電力モードが高性能モードを備え、前記第２の電力モードが中間性能モードを備え、モジュールの前記第１のセットが、前記複数のＣＤＣのうちの高電力ＣＤＣと、前記電流電圧変換器と、前記ＰＬＬと、前記ＬＤＯ調節器と、前記バイアス電流生成器と、前記基準電圧生成器と、前記複数の入力受信機のうちの高電力入力受信機とを備え、モジュールの前記第２のセットが、前記高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記ＬＤＯ調節器と、前記基準電圧生成器と、前記高電力入力受信機とを備える、Ｃ６８に記載の装置。
［Ｃ８１］
前記モジュールが特定のシーケンスで有効にされる、Ｃ５５に記載の装置。
［Ｃ８２］
前記周波数電力マネージャが１つまたは複数の有限状態機械（ＦＳＭ）を備える、Ｃ５５に記載の装置。
【図１】
0005989938.tif 000002
【図２】
0005989938.tif 000003
【図３】
0005989938.tif 000004
【図４】
0005989938.tif 000005
【図５】
0005989938.tif 000006
【図６】
0005989938.tif 000007
【図７】
0005989938.tif 000008
【図８】
0005989938.tif 000009
【図９】
0005989938.tif 000010